(57)【要約】  無線端末装置（１００）は、基地局装置との間で在圏セルの周波数帯域を用いて情報の受信を行う受信部（２３０６）と、無線端末装置（１００）が位置する在圏セルの周波数帯域に隣接する隣接周波数帯域の周辺セルのセルサーチを行うセルサーチ部（１１０）と、セルサーチ部（１１０）によるセルサーチの際に、周辺セルの周波数帯域のうちセルサーチに用いることができる同期チャネルの周波数帯域と、在圏セルの周波数帯域の一部と、を含む周波数帯域となるよう受信周波数を切り換える受信周波数制御部（２３０５）と、を備える。
2008096436.tif 000002
【特許請求の範囲】
【請求項１】
基地局装置との間で在圏セルの周波数帯域を用いて情報の受信を行う受信手段と、
前記在圏セルの周波数帯域に隣接する隣接周波数帯域の周辺セルのセルサーチを行うセルサーチ手段と、
前記セルサーチ手段によるセルサーチの際に、前記周辺セルの周波数帯域のうちセルサーチに用いることができる情報の周波数帯域と、在圏セルの周波数帯域の一部と、を含む周波数帯域となるよう受信周波数を切り換える受信周波数制御手段と、
を備えたことを特徴とする無線端末装置。
【請求項２】
前記セルサーチ手段は、前記周辺セルの中心周波数と、在圏セルの中心周波数の差分周波数分、前記セルサーチに用いることができる情報の周波数をシフトさせる周波数シフト手段と、
前記周波数シフト手段によりシフトされた前記セルサーチに用いることができる情報と、前記周辺セルから受信したセルサーチに用いることができる情報との相関を求める相関演算手段と、
前記相関演算手段による相関演算の結果に基づいて、前記周辺セルのサブフレームタイミングとシンボルタイミングを同定するタイミング同定手段と、
を備えたことを特徴とする請求項１に記載の無線端末装置。
【請求項３】
前記セルサーチ手段は、セルサーチに用いることができる情報として、前記周辺セルの同期チャネルを用いることを特徴とする請求項２に記載の無線端末装置。
【請求項４】
前記セルサーチ手段は、セルサーチに用いることができる情報として、前記周辺セルのパイロットチャネルを用いることを特徴とする請求項２に記載の無線端末装置。
【請求項５】
前記受信手段により受信した前記情報の受信品質情報の低下の検出状態を前記基地局装置に通知する通知手段を備え、
前記セルサーチ手段は、前記通知手段による通知後に前記基地局装置が決定したセルサーチ実行の契機を示す応答の受信に基づいて前記セルサーチを実行することを特徴とする請求項１〜４のいずれか一つに記載の無線端末装置。
【請求項６】
前記受信手段により受信した前記情報の受信品質情報の低下の検出時に、前記セルサーチを実行する契機を生成し、前記基地局装置に通知する通知手段を備え、
前記セルサーチ手段は、前記通知手段による通知後に前記基地局装置からの応答の受信に基づいて前記セルサーチを実行することを特徴とする請求項１〜４のいずれか一つに記載の無線端末装置。
【請求項７】
無線端末装置に対し、当該無線端末装置が位置する在圏セルの周波数帯域を用いて情報の送受信を行う通信手段と、
前記無線端末装置からの前記在圏セルの周波数帯域に隣接する隣接周波数帯域の周辺セルのセルサーチ実行に用いる情報の受信に基づき、セルサーチの実行を決定し、前記無線端末装置に対してセルサーチ実行を要求する要求手段とを備え、
前記通信手段は、前記無線端末装置のセルサーチの際には、当該無線端末装置が位置する在圏セルの周波数帯域の一部を用いて当該無線端末装置との間の通信を継続して行うことを特徴とする基地局装置。
【請求項８】
前記通信手段は、前記無線端末装置に対する情報に用いる制御チャネルおよびデータチャネルを、前記無線端末装置が位置する在圏セルの周波数帯域と、セルサーチの際における前記周辺セルの周波数帯域とが重複する帯域を用いて通信することを特徴とする請求項７に記載の基地局装置。
【請求項９】
前記要求手段は、前記セルサーチ実行を要求した前記無線端末装置に対し、セルサーチの際において通信に使用可能なリソースブロックの候補を通知することを特徴とする請求項７に記載の基地局装置。
【請求項１０】
前記通信手段は、在圏セルによる通信時の周波数帯域の中心と、セルサーチの際における前記周辺セルの周波数帯域との周波数差をサブキャリア間隔の整数倍とすることを特徴とする請求項７に記載の基地局装置。
【請求項１１】
前記通信手段は、パーシステントスケジューリングにより、前記無線端末装置が位置する在圏セルにおいて使用するリソースブロックが固定的に割り当てられている場合、前記周辺セルサーチの際には、当該セルサーチの際において使用する周波数帯域のリソースブロックを用いるよう割り当てを変更することを特徴とする請求項７に記載の基地局装置。
【請求項１２】
前記要求手段は、前記通信手段により通信する情報のトラフィック負荷の増大の検出時に、前記セルサーチを実行する契機を生成し、前記無線端末装置装置に対し、前記セルサーチを実行を命令することを特徴とする請求項７〜１１のいずれか一つに記載の無線端末装置。
【請求項１３】
無線端末装置が位置する在圏セルの周波数帯域を用いて基地局装置との間で情報の送受信を行う通信工程と、
前記無線端末装置が位置する在圏セルの周波数帯域に隣接する隣接周波数帯域の周辺セルのセルサーチを行うセルサーチ工程と、
前記セルサーチ工程によるセルサーチの際に、前記周辺セルの周波数帯域のうちセルサーチに用いることができる情報の周波数帯域と、在圏セルの周波数帯域の一部と、を含む周波数帯域となるよう前記通信工程の使用周波数を切り換える周波数制御工程と、
を含むことを特徴とする無線通信方法。
【発明の詳細な説明】
【技術分野】
【０００１】
本発明は、マルチキャリアセルラー通信システムの基地局と無線端末装置（移動局）との間において、複数の周波数の無線信号を送受信する際のセルサーチに関するものであり、特に、在圏セルの通信を継続したまま、周辺セル測定を行う無線端末装置、基地局装置および無線通信方法に関するものである。
【背景技術】
【０００２】
従来、マルチキャリアセルラー通信システムとしては、第３世代移動通信（Ｗ−ＣＤＭＡ）が標準化されており、ＬＴＥ（Ｓｕｐｅｒ  ３Ｇ）とが策定されている。第３世代移動通信（Ｗ−ＣＤＭＡ）の場合における異なる周波数の周辺セルサーチは、コンプレストモード（ｃｏｍｐｒｅｓｓｅｄ  ｍｏｄｅ）を用いてギャップ（ｇａｐ：データ送受信を行わない時間）を生成し、生成されたギャップ（ｇａｐ）時間の間に周辺セルサーチを行う。また、ＬＴＥ（Ｓｕｐｅｒ  ３Ｇ）の場合においても、ギャップ（ｇａｐ）を生成し、ギャップ（ｇａｐ）時間で異なる周波数の周辺セルサーチおよび異なる周波数の測定を行うことが検討されている。【０００３】
（リソースブロックについて）
ここで、リソースブロック（周波数ブロック）について説明する。ＬＴＥではＯＦＤＭを用いて、下り方向のデータ通信が行われる。図１８は、従来の基地局の送信系の構成を示すブロック図である。基地局装置（基地局）２０００は、セルサーチのためのＳＣＨ生成部２００１と、パイロットチャネル生成部２００２と、制御チャネル生成部２００３と、共有データチャネル生成部２００４とを備える。共有データチャネル生成部２００４はユーザデータを生成し、符号化部２００５で符号化され、変調部２００６で変調後、多重化部２００９に出力される。制御チャネル生成部２００３は、ユーザデータの種別等の制御データを生成し、符号化部２００７で符号化され、変調部２００８で変調後、多重化部２００９に出力される。【０００４】
多重化部２００９には、変調部２００６、２００８により変調されたユーザデータおよび制御データと、ＳＣＨ生成部２００１にて生成された同期チャネルＳＣＨ（Ｓｙｎｃｈｒｏｎｉｚａｔｉｏｎ  Ｃｈａｎｎｅｌ）と、パイロットチャネル生成部２００２により生成されたパイロットチャネルのデータと、を複数のサブキャリアに各チャネルの変調信号をマッピングして多重化する。この後、ＩＦＦＴ２０１０により、サブキャリアにマッピングされた周波数領域の信号をＯＦＤＭシンボルごとにＩＦＦＴ（逆フーリエ変換）することにより、時間領域の信号に変換する。この後、ＣＰ挿入部２０１１によりＣＰ（Ｃｙｃｌｉｃ  Ｐｒｅｆｉｘ）を挿入し、増幅器２０１２により信号増幅してアンテナ２０１３から送信される。【０００５】
図１９は、サブキャリアマッピングの状態を示す図である。縦軸は周波数、横軸は時間である。サブキャリアマッピング時、各チャネル（第１パイロットＰ１および第２パイロットＰ２のパイロットチャネルと、制御チャネルＣと、共有データチャネルＤと、同期チャネルＳＣＨ）は、図１９に示すように指定された時間・周波数領域にマッピングされる。【０００６】
また、周波数帯域内の各サブキャリアは、リソースブロックと呼ばれる複数のサブキャリアからなる周波数ブロックに分割され、１または複数のリソースブロックを用いて、各ユーザあての制御データとユーザデータが通信される。ただし、パイロットはリソースブロック単位ではない。【０００７】
図２０は、リソースブロック図を示す図である。横軸は周波数である。なお、縦軸は図１９の時間に相当する。例えば、図２０に示すように、システム帯域幅が１０ＭＨｚの場合、帯域幅が例えば１５ｋＨｚのサブキャリアを６００サブキャリア用いて、有効帯域幅（９ＭＨｚ）が構成される。リソースブロックは、例えば１２サブキャリア（１８０ｋＨｚ）をひとまとめにしたものがリソースブロックとして定義される。この場合、有効帯域は、５０個のリソースブロックから構成されている。【０００８】
（スケジューリングについて）
次に、スケジューリングについて説明する。ＬＴＥのデータ通信形態は、パケット通信であり、各移動局あてのユーザデータをどのリソースブロックで送信するかは固定的には決められていない。各移動局は、各リソースブロックの下りチャネル受信品質（ＣＱＩ：Ｃｈａｎｎｅｌ  Ｑｕａｌｉｔｙ  Ｉｎｄｉｃａｔｏｒ）を測定し、定期的に基地局に報告している。【０００９】
基地局では１．各移動局からのＣＱＩ報告値、２．トラフィックの状態、３．通信データの性質（ＱｏＳ）、４．通信データが再送データかどうか、等の情報を元にして、サブフレームごとにどの移動局にデータを送信するかを決める。また、各移動局にデータを送信するリソースブロックの数やどのリソースブロックを使うかはできるだけ受信品質のよいリソースブロックが割り当てられるよう、その都度選択される。どの移動局にデータ送信を行うかを示す情報と、どのリソースブロックを割り当てたかを示す情報は、制御チャネルを用いて通信される。また、制御チャネルには、どのリソースブロックを割り当てたかを示す情報の他に、データ通信に使われている変調方式や、データの誤り訂正符号化の符号化率に関連する情報など、データの復調・復号に必要な情報（伝送パラメータ）が載せられ送信される。【００１０】
制御チャネルがどのリソースブロックで送信されるかは、あらかじめ決められており、移動局は、一つあるいは複数の制御チャネルを受信および復号することにより、自局あてにデータ送信がスケジューリングされたかどうかを検出でき、スケジューリングされた場合には、制御チャネルを復号して得た伝送パラメータを共有データ復調部および復号部に出力し、ユーザデータの復号を行う。【００１１】
図２１は、従来の無線端末装置の構成を示すブロック図である。無線端末装置（移動局）２３００は、アンテナ２３０１にて受信した信号を増幅器２３０２により増幅し、ＢＰＦ２３０３にてフィルタリングした後、Ａ／Ｄ２３０４にてデジタル変換して受信部２３０６に入力される。２３０５は、受信周波数制御部であり、ＢＰＦ２３０３およびＡ／Ｄ２３０４に対して受信周波数の制御、およびセルサーチの際における受信周波数の切り換え（後述する所定周波数のシフト量Δｆ）の制御を行う。【００１２】
受信部２３０６は、スケジューリング情報を復号して制御チャネルおよびデータチャネル（ユーザデータ）の受信処理を行う。入力段に設けられるＣＰ除去部２３１０は、ＣＰを除去し、ＦＦＴ２３１１によるフーリエ変換を行い、チャネル分離部２３１２によりチャネル分離を行う。チャネル分離後のデータは、チャネル推定部２３１３によりチャネル推定される。また、制御チャネル復調部２３１４により制御チャネルの制御データが復調され、復号部２３１５により復号される。また、共有データチャネル復調部２３１６によりユーザデータが復調され、復号部２３１７により復号される。【００１３】
セルサーチを行う技術としては、基地局からの指示ではなく、通信中の品質が劣化した場合に、基地局の制御に依存せずに移動局にて異なる周波数の測定を行い、また、通信中のベアラサービスの内容に基づいて異なる周波数の測定の実施時期についても決定する構成のものがある（例えば、下記特許文献１参照。）。【００１４】
【特許文献１】特開２００４−３４３３５６号公報
【発明の開示】
【発明が解決しようとする課題】
【００１５】
しかしながら、上記従来技術では、いずれもギャップ（ｇａｐ）を設けてセルサーチを行う構成であるため、このギャップが有する時間により、データ通信速度を向上させることができなかった。すなわち、Ｗ−ＣＤＭＡおよびＬＴＥのどちらの方式の場合であっても、ギャップ（ｇａｐ）時間の間は、ハンドオーバー（ＨＯ）元のセルとの間でデータの送受信を行うことができなかった。【００１６】
図２２は、従来のＬＴＥの場合におけるセルサーチを示す説明図である。ＬＴＥ（Ｓｕｐｅｒ  ３Ｇ）の通常時には、元のセル１の周波数帯域内で通信を行う。また、隣接周波数測定時には、セルサーチのためのギャップ（ｇａｐ）時間を用いて、受信周波数を他のセル（セル２）の周波数帯域に完全に切り換え、セル２のセルサーチを行う。セルサーチは、ＳＣＨ（図中斜線）の時間波形レプリカと、受信信号の相関検出を行い、相関値が最大となるタイミングをセル２のフレームタイミングとして検出している。【００１７】
まず、移動局の通常時のデータ通信について述べる。通常時には、セル１の周波数帯域を用いて通信を行う。ＬＴＥ（Ｓｕｐｅｒ  ３Ｇ）におけるデータ通信のやりとりには、周波数帯域幅を複数のリソースブロック（ＲＢ：Ｒｅｓｏｕｒｃｅ  Ｂｌｏｃｋ）に分割し、いずれかのリソースブロックを用いてデータの通信を行う。ユーザデータの通信を行う際には、どのリソースブロックを用いてデータを送るのかを、制御チャネルを用いて基地局から移動局に通知する。移動局は、制御チャネルを受信することにより、どのリソースブロックを用いて、データが通信されているかを検出し、指定されたリソースブロックの信号を取り出して、復調することによりデータの受信を行う。なお、制御チャネルを通信するのに用いる送信タイミングと、リソースブロックの候補はあらかじめ決められており、移動局ではその送信タイミングと、リソースブロックの信号を取り出して復調することにより、データがどのリソースブロックを用いて送られてくるのかを知ることができる。【００１８】
次に、移動局のセルサーチについて述べる。隣接周波数測定時（周辺セルサーチ実行時）には、セル２で用いている周波数帯域がセル１の基地局から移動局に知らされ、移動局はその周波数帯域の信号を受信するよう、周波数の切り換えを行う。この際、受信周波数をセル２で用いている周波数帯域に完全に切り換え、セル２のセルサーチを行う。したがって、周辺セルサーチ実行中は、移動局は、セル１との間でデータの送受信を行うことができないため、データの送受信が中断されるという問題が生じる。【００１９】
本発明は、上記に鑑みてなされたものであって、セルサーチの際においてもデータ通信が行え、データ通信の中断がなく通信速度を向上できる無線端末装置、基地局装置および無線通信方法を提供することを目的としている。
【課題を解決するための手段】
【００２０】
上述した課題を解決し、目的を達成するために、本発明は、無線端末装置が位置する在圏セルの周波数帯域を用いて基地局装置との間で情報の送受信を行う無線システムに適用されるものであり、前記無線端末装置が位置する在圏セルの周波数帯域に隣接する隣接周波数帯域の周辺セルのセルサーチを行い、前記セルサーチの際に、前記周辺セルの周波数帯域に含まれるセルサーチに用いることができる情報の周波数帯域と、在圏セルの周波数帯域の一部と、を含む周波数帯域となるよう前記送受信の使用周波数を切り換えることを特徴としている。【００２１】
上記構成によれば、セルサーチの際に送受信の使用周波数を切り換えるが、この切り換えは、周辺セルの周波数帯域に含まれるセルサーチに用いることができる情報の周波数帯域と、在圏セルの周波数帯域の一部と、を含む周波数帯域となるように切り換えるため、セルサーチを行いながら、在圏セルでの通信を継続して行えるようになる。
【発明の効果】
【００２２】
本発明によれば、セルサーチの際においてもデータ通信が行え、データ通信の中断がなく通信速度を向上できるという効果を奏する。
【図面の簡単な説明】
【００２３】
【図１】図１は、本発明の実施の形態１による無線端末装置の構成を示すブロック図である。
【図２】図２は、セルサーチの処理手順を示すシーケンス図である。
【図３−１】図３−１は、実施の形態１の通常時における受信周波数帯域を示す図である。
【図３−２】図３−２は、実施の形態１のセルサーチの際における受信周波数帯域を示す図である。
【図４】図４は、実施の形態１のセルサーチ部の処理内容を示すフローチャートである。
【図５】図５は、実施の形態１の受信部の処理内容を示すフローチャートである。
【図６】図６は、移動局における通常時およびセルサーチの際の通信状態を示すタイミングチャートである。
【図７−１】図７−１は、実施の形態２の通常時における受信周波数帯域を示す図である。
【図７−２】図７−２は、実施の形態２のセルサーチの際における受信周波数帯域を示す図である。
【図８】図８は、本発明の実施の形態２による無線端末装置の構成を示すブロック図である。
【図９】図９は、実施の形態２のセルサーチ部の処理内容を示すフローチャートである。
【図１０】図１０は、本発明の実施の形態３による無線端末装置の構成を示すブロック図である。
【図１１】図１１は、実施の形態３のセルサーチ部の処理内容を示すフローチャートである。
【図１２−１】図１２−１は、実施の形態３の通常時における受信周波数帯域を示す図である。
【図１２−２】図１２−２は、実施の形態３のセルサーチの際における受信周波数帯域を示す図である。
【図１３−１】図１３−１は、実施の形態４の通常時における受信周波数帯域を示す図である。
【図１３−２】図１３−２は、実施の形態４のセルサーチの際における受信周波数帯域を示す図である。
【図１４−１】図１４−１は、実施の形態５の通常時における受信周波数帯域を示す図である。
【図１４−２】図１４−２は、実施の形態５のセルサーチの際における受信周波数帯域を示す図である。
【図１５】図１５は、実施の形態６によるパーシステントスケジューリング適用時におけるリソースブロックの割り当てを説明する図である。
【図１６】図１６は、実施の形態７によるセルサーチの処理手順を示すシーケンス図である（その１）。
【図１７】図１７は、実施の形態７によるセルサーチの処理手順を示すシーケンス図である（その２）。
【図１８】図１８は、従来の基地局の送信系の構成を示すブロック図である。
【図１９】図１９は、サブキャリアマッピングの状態を示す図である。
【図２０】図２０は、リソースブロック図を示す図である。
【図２１】図２１は、従来の無線端末装置の構成を示すブロック図である。
【図２２】図２２は、従来のＬＴＥの場合におけるセルサーチを示す説明図である。
【符号の説明】
【００２４】
１００  無線端末装置（移動局）
１１０  セルサーチ部
１１１  ＳＣＨ相関演算部
１１２  ピーク検出部
１１３  タイミング同定部
７０１  ＣＰ除去部
７０２  ＦＦＴ
７０３  パイロット抽出部
７０４  セルＩＤ検出部
７０５  レベル測定部
１００１  パイロット相関演算部
１００２  ピーク検出部
１００３  シンボルタイミング同定部
１００４  パイロット時間レプリカ生成部
１００５  ＩＦＦＴ
２０００  基地局装置（基地局）
２３０６  受信部
【発明を実施するための最良の形態】
【００２５】
（実施の形態１）
はじめに、本発明の実施の形態１について説明する。実施の形態１では、セル１のシステム帯域幅、セル２のシステム帯域幅および移動局の送受信帯域幅が共通であり、セル１とセル２で隣り合う周波数帯域を用いている構成例である。以下の説明では、通信中のセルがセル１であり、セルサーチする周辺セルがセル２であるとする。【００２６】
図１は、本発明の実施の形態１による無線端末装置の構成を示すブロック図である。無線端末装置（移動局）１００は、前述した従来の無線端末装置２３００の構成（同一構成部は同一符号を付してある）を有し、さらに、セルサーチ部１１０を備えている。セルサーチ部１１０は、Ａ／Ｄ２３０４の受信信号の出力と、セルサーチの際にセル１の中心周波数に対する周波数のシフト量Δｆに基づく、差の周波数ΔＦ（＝１０−Δｆ）だけ周波数をシフトさせる周波数シフト手段１１５と、周波数シフトされたＳＣＨレプリカとの相関演算を行うＳＣＨ相関演算部１１１と、ＳＣＨ相関演算部１１１の出力のピークを検出するピーク検出部１１２と、ピーク検出後にサブフレームタイミングとシンボルタイミングを同定するタイミング同定部１１３とを備える。【００２７】
図２は、セルサーチの処理手順を示すシーケンス図である。移動局ＭＳは、下りチャネルの受信品質情報（ＣＱＩ：Ｃｈａｎｎｅｌ  Ｑｕａｌｉｔｙ  Ｉｎｄｉｃａｔｏｒ）の品質低下を検出し、基地局に通知する通知部（不図示）を備えている。セル１の基地局ＢＳは、移動局から、例えば定期的に報告される下りチャネルの受信品質情報ＣＱＩの低下を検出すると、移動局に対して、周辺セルサーチを行わせることを決定する（ステップＳ２０１）。そして、基地局は、図示しない要求手段が移動局に対して、周辺セルサーチ実行命令を送信する（ステップＳ２０２）。要求手段が送信する周辺セルサーチ実行命令の中には、実行開始タイミング、終了タイミング、周辺セルサーチ実行時間におけるセル１と移動局の間でデータの送受信を行うための周波数帯域などの情報が合わせて通知される。なお、周辺セルサーチ実行命令とそのような情報の通知は別々に行うこともできる。【００２８】
移動局は、周辺セルサーチ実行命令を受信すると、周辺セルサーチ実行命令に対する応答を基地局に返信し（ステップＳ２０３）、基地局から通知された実行開始タイミングで周辺セルサーチを行うモードに移行する。周辺セルサーチ実行時間内で受信周波数制御部２３０５による周波数切り換え（上記シフト量Δｆ相当、ステップＳ２０４）、セル２のセルサーチ実行およびセル１との間のデータ送受信を行い（ステップＳ２０５）、周波数を元に戻す（ステップＳ２０６）。この後、基地局に対してセルサーチ結果の報告を行い（ステップＳ２０７）、基地局は、セルサーチ結果に基づいてハンドオーバー（ＨＯ）先の決定を行う（ステップＳ２０８）。【００２９】
図３−１は、実施の形態１の通常時における受信周波数帯域を示す図、図３−２は、実施の形態１のセルサーチの際における受信周波数帯域を示す図である。これらの図に示すように、セル１およびセル２は、使用している周波数帯域の中心の近くの狭い帯域（例えば１．２５ＭＨｚ幅）でＳＣＨを送信している。【００３０】
通常時には、図３−１に示すようにセル１の全帯域を用いて、スケジューリングが行われ、データの通信が行われる。実際には、セル１の全帯域の中から必要なリソースブロック（サブキャリア）を一つあるいは複数を用いて通信がなされる。一方、周辺セルサーチ実行時には、図３−２に示すように、移動局は、セル２のＳＣＨ帯域を含み、かつ、セル１の周波数帯域の一部（図中範囲Ａ）、すなわち、周辺セルサーチ実行時間においてセル１と移動局の間でデータの送受信を行うための周波数帯域を含む帯域を受信するように、受信帯域を切り換える。具体的には、セル１の搬送波周波数に比べて、ΔｆＭＨｚ（例えば、６ＭＨｚ）シフトさせる。このとき、中心周波数のシフト量は、サブキャリア間隔（例えば、１５ｋＨｚ）の整数倍とし、ハンドオーバー（ＨＯ）元のセル１のデータ復調用のＦＦＴで出力されるサブキャリア成分の同期が外れないようにする。【００３１】
さらに詳細には、ＬＴＥでは、キャリアラスタは２００ｋＨｚであり、また、セル１のサブキャリアを受信するためにはサブキャリア間隔である１５ｋＨｚの整数倍のキャリア周波数シフトでなければならない。このため、ＬＴＥでは、２００ｋＨｚと１５ｋＨｚの最小公倍数である６００ｋＨｚをキャリア周波数シフトのステップとすればよい。【００３２】
そして、図１に示した移動局では、セルサーチ部１１０がセル２の中心周波数と通信中の移動局（セル１）の中心周波数の差の周波数ΔＦ（（１０−Δｆ）ＭＨｚ（例えば、４ＭＨｚ））だけＳＣＨの時間信号レプリカをシフトさせた波形をＳＣＨの時間信号レプリカとして用い、セル２のセルサーチを行う。また、受信部２３０６では、セル２のセルサーチと並行して、セル１の周波数帯域の一部の帯域（Ａ）を用いて、基地局のセル１との間でデータの送受信を行う。【００３３】
このとき、基地局のセル１から移動局への制御チャネルの通信は、セル１の周波数帯域の一部の帯域（図３−２の帯域Ａ、例えば、セル１の中心周波数ｆｏに対し＋１〜＋４．５ＭＨｚの範囲＝１０８０ｋＨｚ〜４５００ｋＨｚの１９リソースブロック分）を用いて行い、上記周波数帯域の一部の帯域に含まれるリソースブロックのうちどのリソースブロックを用いてデータの通信を行うかの指定が制御チャネルにより行われる。この指定は、上述したスケジューリングと同じであるが、スケジューリングされるリソースブロックの候補が限定される。【００３４】
移動局は、制御チャネルにより指定されたリソースブロックの信号を復調することにより、セル１との間のデータの送受信を行う。受信信号を図１に示したＦＦＴ２３１１でＦＦＴし、帯域Ａの部分のサブキャリア成分を取り出し、制御チャネル復調部２３１４により制御チャネルを復調し、共有データチャネル復調部２３１６によりデータチャネルの復調を行う。【００３５】
例えば、図３−２に示すように、中心周波数をΔｆ＝６ＭＨｚシフトさせ、受信帯域を１０ＭＨｚにすると、ハンドオーバー（ＨＯ）元セル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。この例の場合、セル１とセル２の中心周波数間隔がちょうど１０ＭＨｚであるため、セル２のサブキャリア成分は、セルサーチの際の移動局の受信周波数（６ＭＨｚ）＋サブキャリア間隔×整数倍の関係にないため、タイミング同定部１１３では、ＳＣＨレプリカを用いたシンボルタイミングおよびフレームタイミングの同定まで可能である。【００３６】
図４は、実施の形態１のセルサーチ部の処理内容を示すフローチャートである。移動局１００のセルサーチ部１１０における処理は、ＳＣＨ相関演算部１１１により、受信信号の出力と、所定周波数だけシフトされたＳＣＨレプリカとのＳＣＨ相関演算を行い（ステップＳ４０１）、ピーク検出部１１２によりピーク検出を行い（ステップＳ４０２）、相関値のピークがしきい値よりも大きいかを判断する（ステップＳ４０３）。相関値のピークがしきい値より小さい場合には（ステップＳ４０３：Ｎｏ）、ステップＳ４０１に戻りＳＣＨ相関演算を行う。相関値のピークがしきい値より大きい場合には（ステップＳ４０３：Ｙｅｓ）、タイミング同定部１１３により、サブフレームタイミングと、シンボルタイミングの同定が行われ（ステップＳ４０４）、一連の処理が終了する。【００３７】
図５は、実施の形態１の受信部の処理内容を示すフローチャートである。移動局１００の受信部２３０６における処理は、ＣＰ除去部２３１０によりＣＰ除去され（ステップＳ５０１）、ＦＦＴ２３１１によるＦＦＴ（フーリエ変換）を行い（ステップＳ５０２）、チャネル分離部２３１２により制御チャネルが分離される（ステップＳ５０３）。分離された制御チャネルは、制御チャネル復調部２３１４により復調され（ステップＳ５０４）、復号部２３１５により制御データが復号される（ステップＳ５０５）。また、チャネル分離部２３１２により共有データチャネルについても分離され（ステップＳ５０６）、分離された共有データチャネルは、共有データチャネル復調部２３１６により復調され（ステップＳ５０７）、復号部２３１７により共有データが復号される（ステップＳ５０８）。【００３８】
図６は、移動局における通常時およびセルサーチの際の通信状態を示すタイミングチャートである。横軸は時間である。通常時において、基地局のセル１との間で通常通りの送受信を行っている。この後、時期ｔ１において、周辺セルサーチを行う際には、周波数を切り換えセルサーチする。この際、セル１との通信は一部の帯域を用いて継続することができる。この後、時期ｔ２において、通常時となった場合には、基地局のセル１との間で通常通りの送受信を行う。以降、周辺セルサーチを行った場合には、いずれもセル１との通信は一部の帯域を用いて継続する。【００３９】
以上説明したように、実施の形態１によれば、周辺セルサーチ実行時には受信周波数を在圏セル（セル１）の周波数の一部と、隣接チャネル（セル２）のＳＣＨ帯域と、を含む帯域に切り換えることにより、在圏セル（セル１）との通信を継続したまま、周辺セル（セル２）の測定を行うことができるようになる。これにより、セルサーチの間でもデータ通信が行え、通信速度を向上できるようになる。具体的には、移動局側でデータをダウンロードしていたときのセルサーチの際においてもダウンロードが途切れることがなく、最大で約半分の帯域の通信速度で継続したデータ通信が行えるようになる。リアルタイム性が要求される音声通話（ＶｏＩＰ）等のサービスに適用すれば、通話中の音声の途切れを防止しつつ、セルサーチが行えるようになる。【００４０】
（実施の形態２）
次に、本発明の実施の形態２について説明する。実施の形態１の場合、セル１、セル２の搬送波周波数間隔が、キャリアラスタ（２００ｋＨｚ）とサブキャリア間隔（１５ｋＨｚ）を考慮せず、設定されている場合の例であった。実施の形態２では、キャリアラスタとサブキャリア間隔を考慮し、セル１とセル２の中心周波数間隔をキャリアラスタとサブキャリア間隔の最小公倍数の整数倍になるように設定する構成例である。【００４１】
図７−１は、実施の形態２の通常時における受信周波数帯域を示す図、図７−２は、実施の形態２のセルサーチの際における受信周波数帯域を示す図である。ＬＴＥの場合の設定数値について説明すると、キャリアラスタは２００ｋＨｚ、サブキャリア間隔は１５ｋＨｚである。これにより、キャリアラスタとサブキャリア間隔の最小公倍数は６００ｋＨｚである。例えば、セル１とセル２のキャリア周波数間隔を１０．２ＭＨｚとすると、これは６００ｋＨｚの整数倍となる。【００４２】
セルサーチ実行時の周波数シフト量を６ＭＨｚとした場合、セル２のサブキャリアはシフト後の中心周波数と比べてサブキャリア間隔の整数倍のところにあるので、ＳＣＨを用いて検出したタイミングでＦＦＴを行うと、セル２のサブキャリア成分の一部（図７−２に示す帯域の約左半分）を取り出すことができる。取り出したセル２のサブキャリア成分の中からセル２の複数のパイロット信号Ｐを取り出し、解析することで、セル２のセルＩＤの同定を行うことができる。ただし、この取り出したセル２の約半分の帯域のパイロット信号Ｐを用いてセルＩＤの特定を行うことになる。【００４３】
例えば、図７−２に示すように、中心周波数をΔｆ＝６ＭＨｚシフトさせ、受信帯域を１０ＭＨｚにすると、セル２のＳＣＨ帯域を受信可能であるので、ハンドオーバー（ＨＯ）元のセル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。【００４４】
図８は、本発明の実施の形態２による無線端末装置の構成を示すブロック図である。実施の形態１と同一の構成部には同一の符号を付してある。実施の形態２では、セルサーチ部１１０に他のセル（セル２）用のセルＩＤを検出するためのセル抽出部７００が付加されている。セル抽出部７００は、Ａ／Ｄ２３０４の出力からＣＰを除去するＣＰ除去部７０１と、ＣＰ除去後の信号について、タイミング同定部１１３により同定されたサブフレームタイミングおよびシンボルタイミングに基づきＦＦＴ（フーリエ変換）するＦＦＴ７０２と、セル２のパイロット信号Ｐを抽出するパイロット抽出部７０３と、抽出されたパイロット信号Ｐに基づき、セルＩＤを検出するセルＩＤ検出部７０４およびパイロット信号Ｐのレベルを測定するレベル測定部７０５と、からなる。【００４５】
図９は、実施の形態２のセルサーチ部の処理内容を示すフローチャートである。移動局１００のセルサーチ部１１０における処理は、ＳＣＨ相関演算部１１１により、受信信号の出力と、所定周波数だけシフトされたＳＣＨレプリカとのＳＣＨ相関演算を行い（ステップＳ９０１）、ピーク検出部１１２によりピーク検出を行い（ステップＳ９０２）、相関値のピークがしきい値よりも大きいかを判断する（ステップＳ９０３）。相関値のピークがしきい値より小さい場合には（ステップＳ９０３：Ｎｏ）、ステップＳ９０１に戻りＳＣＨ相関演算を行う。相関値のピークがしきい値より大きい場合には（ステップＳ９０３：Ｙｅｓ）、タイミング同定部１１３により、サブフレームタイミングと、シンボルタイミングの同定が行われる（ステップＳ９０４）。【００４６】
また、セル抽出部７００では、ＣＰ除去部７０１にてＣＰが除去され（ステップＳ９０５）、ＦＦＴ７０２によるフーリエ変換が行われ（ステップＳ９０６）、パイロット抽出部７０３によりセル２のパイロット信号Ｐが抽出される（ステップＳ９０７）。抽出されたパイロット信号Ｐにより、セルＩＤ検出部７０４は、セルＩＤを検出し（ステップＳ９０８）、レベル測定部７０５は、パイロット信号Ｐのレベルを測定し（ステップＳ９０９）、一連の処理が終了する。なお、実施の形態２における受信部２３０６の処理内容は、実施の形態１（図５）での説明と同様の処理であり、説明を省略する。【００４７】
以上説明したように、実施の形態２によれば、実施の形態１同様に、セルサーチの際の通信中断が生じないとともに、セル１とセル２の中心周波数間隔をキャリアラスタとサブキャリア間隔の最小公倍数の整数倍になるように設定する構成としたので、ＳＣＨを用いて検出したタイミングでＦＦＴを行う際に、セル２のサブキャリアの成分の一部を取り出すことができ、この一部の情報に含まれるパイロット信号に基づいて、セルサーチして周辺セル（セル２）のセルＩＤを容易に特定できるようになる。【００４８】
（実施の形態３）
次に、本発明の実施の形態３について説明する。実施の形態３では、隣接セルで使用しているパイロットのパターンがあらかじめわかっている場合の構成例であり、実施の形態３ではセルサーチの際にＳＣＨレプリカを用いず、周辺セル（セル２）のパイロットレプリカを用いる。実施の形態３では、周辺セルサーチ実行前に隣接セル（セル２）で使用しているパイロットのパターンをセル１の基地局から通知する構成とする。【００４９】
図１０は、本発明の実施の形態３による無線端末装置の構成を示すブロック図である。実施の形態１と同一の構成部には同一の符号を付してある。セルサーチ部１１０は、セル２のパイロット相関演算を行うパイロット相関演算部１００１と、相関後のピーク検出部１００２と、ピーク検出後のシンボルタイミングを同定するシンボルタイミング同定部１００３と、セル２のパイロット時間レプリカ生成部１００４とを有している。パイロット時間レプリカ生成部１００４は、受信部２３０６の出力により、セル１からの受信信号に含まれているセル２のパイロットパターンを抽出し、ＩＦＦＴ１００５により、逆フーリエ変換により時間領域の信号に変換してセル２のパイロットレプリカを得る。この後、周波数シフトしてパイロット相関演算部１００１に出力する。【００５０】
図１１は、実施の形態３のセルサーチ部の処理内容を示すフローチャートである。移動局１００のセルサーチ部１１０は、パイロット相関演算部１００１により、受信部２３０６の出力から得たセル２のパイロット信号の出力と、所定周波数だけシフトされたパイロットレプリカとのパイロット相関演算を行い（ステップＳ１１０１）、ピーク検出部１１２によりピーク検出を行い（ステップＳ１１０２）、相関値のピークがしきい値よりも大きいかを判断する（ステップＳ１１０３）。相関値のピークがしきい値より小さい場合には（ステップＳ１１０３：Ｎｏ）、ステップＳ１１０１に戻りパイロット相関演算を行う。相関値のピークがしきい値より大きい場合には（ステップＳ１１０３：Ｙｅｓ）、シンボルタイミング同定部１００３により、シンボルタイミングの同定が行われ（ステップＳ１１０４）、一連の処理が終了する。【００５１】
図１２−１は、実施の形態３の通常時における受信周波数帯域を示す図、図１２−２は、実施の形態３のセルサーチの際における受信周波数帯域を示す図である。セルサーチの際には、図１２−２に示すように、セル２のサブキャリア成分に含まれるセル２のパイロット信号Ｐのパターンから、パイロット時間レプリカ生成部１００４は、パイロット信号Ｐの時間信号のレプリカを作成し、シンボルタイミング同定部１００３によりシンボルタイミングの同定を行う。このセルサーチの際には、中心周波数をΔｆ＝６ＭＨｚシフトさせ、受信帯域を１０ＭＨｚにすると、セル２のＳＣＨ帯域を受信可能であるので、ハンドオーバー（ＨＯ）元のセル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。【００５２】
上記説明では、基地局から通知されたセル２のパイロットパターンを用いる構成としたが、他の構成としては、報知チャネルＢＣＨ（Ｂｒｏａｄｃａｓｔ  Ｃｈａｎｎｅｌ）にセル２のパイロットパターンが含まれて通知される構成としてもよい。【００５３】
以上説明したように、実施の形態３によれば、実施の形態１同様に、セルサーチの際の通信中断が生じないとともに、基地局から通知されたパイロットパターンを用いてセルサーチし、周辺セル（セル２）のシンボルタイミングを同定できるようになる。【００５４】
（実施の形態４）
次に、本発明の実施の形態４について説明する。実施の形態４では、輪セルするセル（セル１、セル２）のシステム帯域幅が異なり、セル２のシステム帯域幅がセル１より大きい場合における構成例である。図１３−１は、実施の形態４の通常時における受信周波数帯域を示す図である。図示のように、例えば、セル１のシステム帯域幅１０ＭＨｚ、セル２のシステム帯域幅２０ＭＨｚであり、移動局１００の受信帯域幅１０ＭＨｚの場合について説明する。【００５５】
セル２のシステム帯域幅が大きい場合であっても、セルサーチの際に周波数をシフト量Δｆでシフトさせた受信帯域幅内にセル２のＳＣＨが含まれていれば、実施の形態１同様に、セル１との間の通信を継続しながらセル２のセルサーチを行うことができる。【００５６】
図１３−２は、実施の形態４のセルサーチの際における受信周波数帯域を示す図である。セル１のシステム帯域幅１０ＭＨｚに比べて、セル２のシステム帯域幅が２０ＭＨｚと大きい場合でも、セル２のシステム帯域幅の前半の１０ＭＨｚ、後半の１０ＭＨｚのそれぞれの中央にＳＣＨが送信される帯域があるとする。この場合、中心周波数をΔｆ＝６ＭＨｚシフトさせ、受信帯域を１０ＭＨｚにすると、ハンドオーバー（ＨＯ）元セル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。なお、セル２におけるＳＣＨがシステム帯域幅２０ＭＨｚの中央にある場合であっても、ＳＣＨを検出できるようにシフト量Δｆを対応して変更すればよい。【００５７】
以上説明したように、実施の形態４によれば、セルサーチの際のセル２が大きなシステム帯域幅であっても、実施の形態１同様に、セルサーチの際の通信中断が生じないとともに、セルサーチでき、周辺セル（セル２）のセルＩＤを容易に特定できるようになる。【００５８】
（実施の形態５）
次に、本発明の実施の形態５について説明する。実施の形態５では、隣接するセル（セル１、セル２）のシステム帯域幅が異なり、セル２のシステム帯域幅がセル１より小さい場合における構成例である。図１４−１は、実施の形態５の通常時における受信周波数帯域を示す図である。図示のように、例えば、セル１のシステム帯域幅１０ＭＨｚ、セル２のシステム帯域幅５ＭＨｚであり、移動局の受信帯域幅１０ＭＨｚの場合について説明する。【００５９】
図１４−２は、実施の形態５のセルサーチの際における受信周波数帯域を示す図である。図示のように、セル１のシステム帯域幅に比べて、セル２のシステム帯域幅が５ＭＨｚと小さく、セル２のシステム帯域幅の中央にＳＣＨが送信される帯域があるとする。この場合、セル１のＳＣＨとセル２のＳＣＨとの間の周波数は、７．５ＭＨｚとなる。このような場合、セルサーチの際の周波数のシフト量Δｆは、３．６ＭＨｚ隣、少なくて済むことになる。さらに、セル１で使用可能なサブキャリア数（リソースブロック数）が、実施の形態１に比べて多くできる。【００６０】
具体的には、セルサーチの際に中心周波数を３．６ＭＨｚシフトさせ、受信帯域を１０ＭＨｚにすると、ハンドオーバー（ＨＯ）元のセル１の信号は、セル１の中心周波数ｆｏに対し＋−１．４Ｍ〜＋４．５Ｍの範囲の信号が検出できるようになる（５．９ＭＨｚ分のサブキャリア＝３９３サブキャリア＝３２リソースブロックが使用可能）。【００６１】
以上説明したように、実施の形態５によれば、セルサーチの際のセル２が小さなシステム帯域幅であっても、実施の形態１同様に、セルサーチの際の通信中断が生じないとともに、セルサーチでき、周辺セル（セル２）のセルＩＤを容易に特定できるようになる。加えて、周波数のシフト量を少なくできるとともに、受信帯域がセルサーチでも変わらない構成とすれば、セル２のシステム帯域が小さい分だけセルサーチの際におけるセル１の通信帯域を大きく確保できるようになる。【００６２】
（実施の形態６）
次に、本発明の実施の形態６について説明する。実施の形態６では、パーシステントスケジューリング時であってもセルサーチ前後でセル１の通信を継続させる構成について説明する。【００６３】
図１５は、実施の形態６によるパーシステントスケジューリング適用時におけるリソースブロックの割り当てを説明する図である。図の縦軸は周波数、横軸は時間である。パーシステントスケジューリングとは、使用するサブフレームと使用リソースブロックをある程度の期間固定的に割り当てておくことである。例えば、音声通話（ＶｏＩＰ）では、必要な帯域を固定的に割り当てられている。この割り当ては基地局が行う。【００６４】
図１５に示すように、セル１では通常時にパーシステントスケジューリングにより複数（図では４個）のリソースブロックＲＢ１が固定的に割り当てられ、通信していたとする。この後、セルサーチの際に、周波数シフトにより、セルサーチ実行時の受信周波数帯域がシフトされ、セル１において通信に割り当てられていたリソースブロックＲＢ１が、セルサーチ実行時の受信周波数帯域の外側になってしまう場合がある。【００６５】
このような場合、基地局の図示しない要求手段は、通信中のリソースブロックＲＢ１の割り当てを、セルサーチ実行時の受信周波数帯域内のリソースブロックＲＢ２を使用するように、割り当て直す構成とする。セルサーチ実行後は、セル１の周波数帯域のうち任意のリソースブロックＲＢ３を割り当てればよい。【００６６】
以上説明したように、実施の形態６によれば、パーシステントスケジューリングが適用され、通信に用いるリソースブロックが固定的に割り当てられていた場合であっても、セルサーチの際の通信中断を防止して通信継続できるようになる。【００６７】
（実施の形態７）
次に、本発明の実施の形態７について説明する。実施の形態７では、セルサーチを行う契機の決定の他の例について説明する。周辺セルサーチ起動の契機の決定は、移動局１００から例えば定期的に報告される下りチャネルの受信品質情報ＣＱＩの低下を基地局で検出し、基地局側が契機を生成する構成（図２参照）以外の契機も考えられる。【００６８】
（１）下りチャネルの受信品質情報（ＣＱＩ）測定値の低下を移動局で検出し、それを契機にして、基地局に対して周辺セルサーチ実行許可要求を送る構成例。図１６は、実施の形態７によるセルサーチの処理手順を示すシーケンス図である（その１）。セルサーチの契機を移動局が生成する構成である。【００６９】
移動局ＭＳは、下りチャネルの受信品質情報ＣＱＩの低下を検出すると（ステップＳ１６０１）、通信中のセル１の基地局ＢＳに対して、周辺セルサーチを実行する許可の要求（周辺セルサーチ実行許可要求）を送信する（ステップＳ１６０２）。これに対応して基地局は、周辺セルサーチ実行命令を送信する（ステップＳ１６０３）。周辺セルサーチ実行命令の中には、実行開始タイミング、終了タイミング、周辺セルサーチ実行時間におけるセル１と移動局の間でデータの送受信を行うための周波数帯域などの情報が合わせて通知される。なお、周辺セルサーチ実行命令とそのような情報の通知は別々に行うこともある。【００７０】
移動局は、周辺セルサーチ実行命令を受信すると、周辺セルサーチ実行命令に対する応答を基地局に返信し（ステップＳ１６０４）、通知された実行開始タイミングで周辺セルサーチを行うモードに移行する。周辺セルサーチ実行時間内で周波数切り換え（ステップＳ１６０５）、セル２のセルサーチ実行およびセル１との間のデータ送受信を行い（ステップＳ１６０６）、周波数を元に戻す（ステップＳ１６０７）。この後、基地局に対してセルサーチ結果の報告を行い（ステップＳ１６０８）、基地局は、セルサーチ結果に基づいてハンドオーバー（ＨＯ）先の決定を行う（ステップＳ１６０９）。【００７１】
（２）負荷（トラフィック）の増加を基地局で検出し、それを契機にして、移動局に対して周辺セルサーチ実行命令を送る構成例。図１７は、実施の形態７によるセルサーチの処理手順を示すシーケンス図である（その２）。セルサーチの契機を基地局が生成する構成である。【００７２】
基地局ＢＳは、負荷（トラフィック）の増加を検出すると、移動局ＭＳに対して、周辺セルサーチを行わせることを決定し（ステップＳ１７０１）、移動局に対して、周辺セルサーチ実行命令を送信する（ステップＳ１７０２）。周辺セルサーチ実行命令の中には、実行開始タイミング、終了タイミング、周辺セルサーチ実行時間におけるセル１と移動局の間でデータの送受信を行うための周波数帯域などの情報が合わせて通知される。【００７３】
移動局は、周辺セルサーチ実行命令を受信すると、周辺セルサーチ実行命令に対する応答を基地局に返信し（ステップＳ１７０３）、通知された実行開始タイミングで周辺セルサーチを行うモードに移行する。周辺セルサーチ実行時間内で周波数切り換え（ステップＳ１７０４）、セル２のセルサーチ実行およびセル１との間のデータ送受信を行い（ステップＳ１７０５）、周波数を元に戻す（ステップＳ１７０６）。この後、基地局に対してセルサーチ結果の報告を行い（ステップＳ１７０７）、基地局は、セルサーチ結果に基づいてハンドオーバー（ＨＯ）先の決定を行う（ステップＳ１７０８）。【００７４】
以上説明したように、実施の形態７によれば、セルサーチを開始する契機を基地局が生成するに限らず、移動局で契機を生成することもできる。また、基地局がトラフィックの増加を契機として生成する構成にもでき、上記各実施の形態で説明したセルサーチを適切な契機で実行開始することができるようになる。【００７５】
そして、以上の各実施の形態によれば、隣接周波数を用いる周辺セルの情報を取得するセルサーチの際の受信周波数を位置している在圏セル（セル１）の周波数の一部を残したまま、隣接チャネルの周辺セル（セル２）のＳＣＨ帯域（あるいはパイロット信号）を含む帯域となるよう周波数をシフト量Δｆだけシフトさせることにより、在圏セル（セル１）との通信を継続したまま、周辺セル（セル２）の測定を行うことができるようになる。そして、セルサーチの際でも通常時の半分程度の帯域幅を利用して通信を継続可能であり、特に、音声通話（ＶｏＩＰ）などのリアルタイム性が要求されるサービスの場合には、データ通信を継続できることにより、音声を途切れさせることなく、隣接チャネルのセルサーチを行うことができる。
【産業上の利用可能性】
【００７６】
以上のように、本発明にかかる無線端末装置、基地局装置および無線通信方法は、通信中の周波数に隣接する隣接セルの測定を通信と同時に並行して行うことができ、特に、無線端末装置の移動によりハンドオーバーを行うマルチキャリアセルラー通信システムを構成している装置に適している。
【図１】
2008096436.tif 000003
【図２】
2008096436.tif 000004
【図３−１】
2008096436.tif 000005
【図３−２】
2008096436.tif 000006
【図４】
2008096436.tif 000007
【図５】
2008096436.tif 000008
【図６】
2008096436.tif 000009
【図７−１】
2008096436.tif 000010
【図７−２】
2008096436.tif 000011
【図８】
2008096436.tif 000012
【図９】
2008096436.tif 000013
【図１０】
2008096436.tif 000014
【図１１】
2008096436.tif 000015
【図１２−１】
2008096436.tif 000016
【図１２−２】
2008096436.tif 000017
【図１３−１】
2008096436.tif 000018
【図１３−２】
2008096436.tif 000019
【図１４−１】
2008096436.tif 000020
【図１４−２】
2008096436.tif 000021
【図１５】
2008096436.tif 000022
【図１６】
2008096436.tif 000023
【図１７】
2008096436.tif 000024
【図１８】
2008096436.tif 000025
【図１９】
2008096436.tif 000026
【図２０】
2008096436.tif 000027
【図２１】
2008096436.tif 000028
【図２２】
2008096436.tif 000029
【手続補正書】
【提出日】平成21年3月3日(2009.3.3)
【手続補正１】
【補正対象書類名】明細書
【補正対象項目名】全文
【補正方法】変更
【補正の内容】
【発明の詳細な説明】
【技術分野】
【０００１】
本発明は、マルチキャリアセルラー通信システムの基地局と無線端末装置（移動局）との間において、複数の周波数の無線信号を送受信する際のセルサーチに関するものであり、特に、在圏セルの通信を継続したまま、周辺セル測定を行う無線端末装置、基地局装置および無線通信方法に関するものである。
【背景技術】
【０００２】
従来、マルチキャリアセルラー通信システムとしては、第３世代移動通信（Ｗ−ＣＤＭＡ）が標準化されており、ＬＴＥ（Ｓｕｐｅｒ  ３Ｇ）とが策定されている。第３世代移動通信（Ｗ−ＣＤＭＡ）の場合における異なる周波数の周辺セルサーチは、コンプレストモード（ｃｏｍｐｒｅｓｓｅｄ  ｍｏｄｅ）を用いてギャップ（ｇａｐ：データ送受信を行わない時間）を生成し、生成されたギャップ（ｇａｐ）時間の間に周辺セルサーチを行う。また、ＬＴＥ（Ｓｕｐｅｒ  ３Ｇ）の場合においても、ギャップ（ｇａｐ）を生成し、ギャップ（ｇａｐ）時間で異なる周波数の周辺セルサーチおよび異なる周波数の測定を行うことが検討されている。
【０００３】
（リソースブロックについて）
ここで、リソースブロック（周波数ブロック）について説明する。ＬＴＥではＯＦＤＭを用いて、下り方向のデータ通信が行われる。図１８は、従来の基地局の送信系の構成を示すブロック図である。基地局装置（基地局）２０００は、セルサーチのためのＳＣＨ生成部２００１と、パイロットチャネル生成部２００２と、制御チャネル生成部２００３と、共有データチャネル生成部２００４とを備える。共有データチャネル生成部２００４はユーザデータを生成し、符号化部２００５で符号化され、変調部２００６で変調後、多重化部２００９に出力される。制御チャネル生成部２００３は、ユーザデータの種別等の制御データを生成し、符号化部２００７で符号化され、変調部２００８で変調後、多重化部２００９に出力される。
【０００４】
多重化部２００９には、変調部２００６、２００８により変調されたユーザデータおよび制御データと、ＳＣＨ生成部２００１にて生成された同期チャネルＳＣＨ（Ｓｙｎｃｈｒｏｎｉｚａｔｉｏｎ  Ｃｈａｎｎｅｌ）と、パイロットチャネル生成部２００２により生成されたパイロットチャネルのデータと、を複数のサブキャリアに各チャネルの変調信号をマッピングして多重化する。この後、ＩＦＦＴ２０１０により、サブキャリアにマッピングされた周波数領域の信号をＯＦＤＭシンボルごとにＩＦＦＴ（逆フーリエ変換）することにより、時間領域の信号に変換する。この後、ＣＰ挿入部２０１１によりＣＰ（Ｃｙｃｌｉｃ  Ｐｒｅｆｉｘ）を挿入し、増幅器２０１２により信号増幅してアンテナ２０１３から送信される。
【０００５】
図１９は、サブキャリアマッピングの状態を示す図である。縦軸は周波数、横軸は時間である。サブキャリアマッピング時、各チャネル（第１パイロットＰ１および第２パイロットＰ２のパイロットチャネルと、制御チャネルＣと、共有データチャネルＤと、同期チャネルＳＣＨ）は、図１９に示すように指定された時間・周波数領域にマッピングされる。
【０００６】
また、周波数帯域内の各サブキャリアは、リソースブロックと呼ばれる複数のサブキャリアからなる周波数ブロックに分割され、１または複数のリソースブロックを用いて、各ユーザあての制御データとユーザデータが通信される。ただし、パイロットはリソースブロック単位ではない。
【０００７】
図２０は、リソースブロック図を示す図である。横軸は周波数である。なお、縦軸は図１９の時間に相当する。例えば、図２０に示すように、システム帯域幅が１０ＭＨｚの場合、帯域幅が例えば１５ｋＨｚのサブキャリアを６００サブキャリア用いて、有効帯域幅（９ＭＨｚ）が構成される。リソースブロックは、例えば１２サブキャリア（１８０ｋＨｚ）をひとまとめにしたものがリソースブロックとして定義される。この場合、有効帯域は、５０個のリソースブロックから構成されている。
【０００８】
（スケジューリングについて）
次に、スケジューリングについて説明する。ＬＴＥのデータ通信形態は、パケット通信であり、各移動局あてのユーザデータをどのリソースブロックで送信するかは固定的には決められていない。各移動局は、各リソースブロックの下りチャネル受信品質（ＣＱＩ：Ｃｈａｎｎｅｌ  Ｑｕａｌｉｔｙ  Ｉｎｄｉｃａｔｏｒ）を測定し、定期的に基地局に報告している。
【０００９】
基地局では１．各移動局からのＣＱＩ報告値、２．トラフィックの状態、３．通信データの性質（ＱｏＳ）、４．通信データが再送データかどうか、等の情報を元にして、サブフレームごとにどの移動局にデータを送信するかを決める。また、各移動局にデータを送信するリソースブロックの数やどのリソースブロックを使うかはできるだけ受信品質のよいリソースブロックが割り当てられるよう、その都度選択される。どの移動局にデータ送信を行うかを示す情報と、どのリソースブロックを割り当てたかを示す情報は、制御チャネルを用いて通信される。また、制御チャネルには、どのリソースブロックを割り当てたかを示す情報の他に、データ通信に使われている変調方式や、データの誤り訂正符号化の符号化率に関連する情報など、データの復調・復号に必要な情報（伝送パラメータ）が載せられ送信される。
【００１０】
制御チャネルがどのリソースブロックで送信されるかは、あらかじめ決められており、移動局は、一つあるいは複数の制御チャネルを受信および復号することにより、自局あてにデータ送信がスケジューリングされたかどうかを検出でき、スケジューリングされた場合には、制御チャネルを復号して得た伝送パラメータを共有データ復調部および復号部に出力し、ユーザデータの復号を行う。
【００１１】
図２１は、従来の無線端末装置の構成を示すブロック図である。無線端末装置（移動局）２３００は、アンテナ２３０１にて受信した信号を増幅器２３０２により増幅し、ＢＰＦ２３０３にてフィルタリングした後、Ａ／Ｄ２３０４にてデジタル変換して受信部２３０６に入力される。２３０５は、受信周波数制御部であり、ＢＰＦ２３０３およびＡ／Ｄ２３０４に対して受信周波数の制御、およびセルサーチの際における受信周波数の切り換え（後述する所定周波数のシフト量Δｆ）の制御を行う。
【００１２】
受信部２３０６は、スケジューリング情報を復号して制御チャネルおよびデータチャネル（ユーザデータ）の受信処理を行う。入力段に設けられるＣＰ除去部２３１０は、ＣＰを除去し、ＦＦＴ２３１１によるフーリエ変換を行い、チャネル分離部２３１２によりチャネル分離を行う。チャネル分離後のデータは、チャネル推定部２３１３によりチャネル推定される。また、制御チャネル復調部２３１４により制御チャネルの制御データが復調され、復号部２３１５により復号される。また、共有データチャネル復調部２３１６によりユーザデータが復調され、復号部２３１７により復号される。
【００１３】
セルサーチを行う技術としては、基地局からの指示ではなく、通信中の品質が劣化した場合に、基地局の制御に依存せずに移動局にて異なる周波数の測定を行い、また、通信中のベアラサービスの内容に基づいて異なる周波数の測定の実施時期についても決定する構成のものがある（例えば、下記特許文献１参照。）。
【先行技術文献】
【特許文献】
【００１４】
【特許文献１】特開２００４−３４３３５６号公報
【発明の概要】
【発明が解決しようとする課題】
【００１５】
しかしながら、上記従来技術では、いずれもギャップ（ｇａｐ）を設けてセルサーチを行う構成であるため、このギャップが有する時間により、データ通信速度を向上させることができなかった。すなわち、Ｗ−ＣＤＭＡおよびＬＴＥのどちらの方式の場合であっても、ギャップ（ｇａｐ）時間の間は、ハンドオーバー（ＨＯ）元のセルとの間でデータの送受信を行うことができなかった。
【００１６】
図２２は、従来のＬＴＥの場合におけるセルサーチを示す説明図である。ＬＴＥ（Ｓｕｐｅｒ  ３Ｇ）の通常時には、元のセル１の周波数帯域内で通信を行う。また、隣接周波数測定時には、セルサーチのためのギャップ（ｇａｐ）時間を用いて、受信周波数を他のセル（セル２）の周波数帯域に完全に切り換え、セル２のセルサーチを行う。セルサーチは、ＳＣＨ（図中斜線）の時間波形レプリカと、受信信号の相関検出を行い、相関値が最大となるタイミングをセル２のフレームタイミングとして検出している。
【００１７】
まず、移動局の通常時のデータ通信について述べる。通常時には、セル１の周波数帯域を用いて通信を行う。ＬＴＥ（Ｓｕｐｅｒ  ３Ｇ）におけるデータ通信のやりとりには、周波数帯域幅を複数のリソースブロック（ＲＢ：Ｒｅｓｏｕｒｃｅ  Ｂｌｏｃｋ）に分割し、いずれかのリソースブロックを用いてデータの通信を行う。ユーザデータの通信を行う際には、どのリソースブロックを用いてデータを送るのかを、制御チャネルを用いて基地局から移動局に通知する。移動局は、制御チャネルを受信することにより、どのリソースブロックを用いて、データが通信されているかを検出し、指定されたリソースブロックの信号を取り出して、復調することによりデータの受信を行う。なお、制御チャネルを通信するのに用いる送信タイミングと、リソースブロックの候補はあらかじめ決められており、移動局ではその送信タイミングと、リソースブロックの信号を取り出して復調することにより、データがどのリソースブロックを用いて送られてくるのかを知ることができる。
【００１８】
次に、移動局のセルサーチについて述べる。隣接周波数測定時（周辺セルサーチ実行時）には、セル２で用いている周波数帯域がセル１の基地局から移動局に知らされ、移動局はその周波数帯域の信号を受信するよう、周波数の切り換えを行う。この際、受信周波数をセル２で用いている周波数帯域に完全に切り換え、セル２のセルサーチを行う。したがって、周辺セルサーチ実行中は、移動局は、セル１との間でデータの送受信を行うことができないため、データの送受信が中断されるという問題が生じる。
【００１９】
本発明は、上記に鑑みてなされたものであって、セルサーチの際においてもデータ通信が行え、データ通信の中断がなく通信速度を向上できる無線端末装置、基地局装置および無線通信方法を提供することを目的としている。
【課題を解決するための手段】
【００２０】
上述した課題を解決し、目的を達成するために、本発明は、無線端末装置が位置する在圏セルの周波数帯域を用いて基地局装置との間で情報の送受信を行う無線システムに適用されるものであり、前記無線端末装置が位置する在圏セルの周波数帯域に隣接する隣接周波数帯域の周辺セルのセルサーチを行い、前記セルサーチの際に、前記周辺セルの周波数帯域に含まれるセルサーチに用いることができる情報の周波数帯域と、在圏セルの周波数帯域の一部と、を含む周波数帯域となるよう前記送受信の使用周波数を切り換えることを特徴としている。
【００２１】
上記構成によれば、セルサーチの際に送受信の使用周波数を切り換えるが、この切り換えは、周辺セルの周波数帯域に含まれるセルサーチに用いることができる情報の周波数帯域と、在圏セルの周波数帯域の一部と、を含む周波数帯域となるように切り換えるため、セルサーチを行いながら、在圏セルでの通信を継続して行えるようになる。
【発明の効果】
【００２２】
本発明によれば、セルサーチの際においてもデータ通信が行え、データ通信の中断がなく通信速度を向上できるという効果を奏する。
【図面の簡単な説明】
【００２３】
【図１】本発明の実施の形態１による無線端末装置の構成を示すブロック図である。
【図２】セルサーチの処理手順を示すシーケンス図である。
【図３−１】実施の形態１の通常時における受信周波数帯域を示す図である。
【図３−２】実施の形態１のセルサーチの際における受信周波数帯域を示す図である。
【図４】実施の形態１のセルサーチ部の処理内容を示すフローチャートである。
【図５】実施の形態１の受信部の処理内容を示すフローチャートである。
【図６】移動局における通常時およびセルサーチの際の通信状態を示すタイミングチャートである。
【図７−１】実施の形態２の通常時における受信周波数帯域を示す図である。
【図７−２】実施の形態２のセルサーチの際における受信周波数帯域を示す図である。
【図８】本発明の実施の形態２による無線端末装置の構成を示すブロック図である。
【図９】実施の形態２のセルサーチ部の処理内容を示すフローチャートである。
【図１０】本発明の実施の形態３による無線端末装置の構成を示すブロック図である。
【図１１】実施の形態３のセルサーチ部の処理内容を示すフローチャートである。
【図１２−１】実施の形態３の通常時における受信周波数帯域を示す図である。
【図１２−２】実施の形態３のセルサーチの際における受信周波数帯域を示す図である。
【図１３−１】実施の形態４の通常時における受信周波数帯域を示す図である。
【図１３−２】実施の形態４のセルサーチの際における受信周波数帯域を示す図である。
【図１４−１】実施の形態５の通常時における受信周波数帯域を示す図である。
【図１４−２】実施の形態５のセルサーチの際における受信周波数帯域を示す図である。
【図１５】実施の形態６によるパーシステントスケジューリング適用時におけるリソースブロックの割り当てを説明する図である。
【図１６】実施の形態７によるセルサーチの処理手順を示すシーケンス図である（その１）。
【図１７】実施の形態７によるセルサーチの処理手順を示すシーケンス図である（その２）。
【図１８】従来の基地局の送信系の構成を示すブロック図である。
【図１９】サブキャリアマッピングの状態を示す図である。
【図２０】リソースブロック図を示す図である。
【図２１】従来の無線端末装置の構成を示すブロック図である。
【図２２】従来のＬＴＥの場合におけるセルサーチを示す説明図である。
【発明を実施するための形態】
【００２４】
（実施の形態１）
はじめに、本発明の実施の形態１について説明する。実施の形態１では、セル１のシステム帯域幅、セル２のシステム帯域幅および移動局の送受信帯域幅が共通であり、セル１とセル２で隣り合う周波数帯域を用いている構成例である。以下の説明では、通信中のセルがセル１であり、セルサーチする周辺セルがセル２であるとする。
【００２５】
図１は、本発明の実施の形態１による無線端末装置の構成を示すブロック図である。無線端末装置（移動局）１００は、前述した従来の無線端末装置２３００の構成（同一構成部は同一符号を付してある）を有し、さらに、セルサーチ部１１０を備えている。セルサーチ部１１０は、Ａ／Ｄ２３０４の受信信号の出力と、セルサーチの際にセル１の中心周波数に対する周波数のシフト量Δｆに基づく、差の周波数ΔＦ（＝１０−Δｆ）だけ周波数をシフトさせる周波数シフト手段１１５と、周波数シフトされたＳＣＨレプリカとの相関演算を行うＳＣＨ相関演算部１１１と、ＳＣＨ相関演算部１１１の出力のピークを検出するピーク検出部１１２と、ピーク検出後にサブフレームタイミングとシンボルタイミングを同定するタイミング同定部１１３とを備える。
【００２６】
図２は、セルサーチの処理手順を示すシーケンス図である。移動局ＭＳは、下りチャネルの受信品質情報（ＣＱＩ：Ｃｈａｎｎｅｌ  Ｑｕａｌｉｔｙ  Ｉｎｄｉｃａｔｏｒ）の品質低下を検出し、基地局に通知する通知部（不図示）を備えている。セル１の基地局ＢＳは、移動局から、例えば定期的に報告される下りチャネルの受信品質情報ＣＱＩの低下を検出すると、移動局に対して、周辺セルサーチを行わせることを決定する（ステップＳ２０１）。そして、基地局は、図示しない要求手段が移動局に対して、周辺セルサーチ実行命令を送信する（ステップＳ２０２）。要求手段が送信する周辺セルサーチ実行命令の中には、実行開始タイミング、終了タイミング、周辺セルサーチ実行時間におけるセル１と移動局の間でデータの送受信を行うための周波数帯域などの情報が合わせて通知される。なお、周辺セルサーチ実行命令とそのような情報の通知は別々に行うこともできる。
【００２７】
移動局は、周辺セルサーチ実行命令を受信すると、周辺セルサーチ実行命令に対する応答を基地局に返信し（ステップＳ２０３）、基地局から通知された実行開始タイミングで周辺セルサーチを行うモードに移行する。周辺セルサーチ実行時間内で受信周波数制御部２３０５による周波数切り換え（上記シフト量Δｆ相当、ステップＳ２０４）、セル２のセルサーチ実行およびセル１との間のデータ送受信を行い（ステップＳ２０５）、周波数を元に戻す（ステップＳ２０６）。この後、基地局に対してセルサーチ結果の報告を行い（ステップＳ２０７）、基地局は、セルサーチ結果に基づいてハンドオーバー（ＨＯ）先の決定を行う（ステップＳ２０８）。
【００２８】
図３−１は、実施の形態１の通常時における受信周波数帯域を示す図、図３−２は、実施の形態１のセルサーチの際における受信周波数帯域を示す図である。これらの図に示すように、セル１およびセル２は、使用している周波数帯域の中心の近くの狭い帯域（例えば１．２５ＭＨｚ幅）でＳＣＨを送信している。
【００２９】
通常時には、図３−１に示すようにセル１の全帯域を用いて、スケジューリングが行われ、データの通信が行われる。実際には、セル１の全帯域の中から必要なリソースブロック（サブキャリア）を一つあるいは複数を用いて通信がなされる。一方、周辺セルサーチ実行時には、図３−２に示すように、移動局は、セル２のＳＣＨ帯域を含み、かつ、セル１の周波数帯域の一部（図中範囲Ａ）、すなわち、周辺セルサーチ実行時間においてセル１と移動局の間でデータの送受信を行うための周波数帯域を含む帯域を受信するように、受信帯域を切り換える。具体的には、セル１の搬送波周波数に比べて、ΔｆＭＨｚ（例えば、６ＭＨｚ）シフトさせる。このとき、中心周波数のシフト量は、サブキャリア間隔（例えば、１５ｋＨｚ）の整数倍とし、ハンドオーバー（ＨＯ）元のセル１のデータ復調用のＦＦＴで出力されるサブキャリア成分の同期が外れないようにする。
【００３０】
さらに詳細には、ＬＴＥでは、キャリアラスタは２００ｋＨｚであり、また、セル１のサブキャリアを受信するためにはサブキャリア間隔である１５ｋＨｚの整数倍のキャリア周波数シフトでなければならない。このため、ＬＴＥでは、２００ｋＨｚと１５ｋＨｚの最小公倍数である６００ｋＨｚをキャリア周波数シフトのステップとすればよい。
【００３１】
そして、図１に示した移動局では、セルサーチ部１１０がセル２の中心周波数と通信中の移動局（セル１）の中心周波数の差の周波数ΔＦ（（１０−Δｆ）ＭＨｚ（例えば、４ＭＨｚ））だけＳＣＨの時間信号レプリカをシフトさせた波形をＳＣＨの時間信号レプリカとして用い、セル２のセルサーチを行う。また、受信部２３０６では、セル２のセルサーチと並行して、セル１の周波数帯域の一部の帯域（Ａ）を用いて、基地局のセル１との間でデータの送受信を行う。
【００３２】
このとき、基地局のセル１から移動局への制御チャネルの通信は、セル１の周波数帯域の一部の帯域（図３−２の帯域Ａ、例えば、セル１の中心周波数ｆｏに対し＋１〜＋４．５ＭＨｚの範囲＝１０８０ｋＨｚ〜４５００ｋＨｚの１９リソースブロック分）を用いて行い、上記周波数帯域の一部の帯域に含まれるリソースブロックのうちどのリソースブロックを用いてデータの通信を行うかの指定が制御チャネルにより行われる。この指定は、上述したスケジューリングと同じであるが、スケジューリングされるリソースブロックの候補が限定される。
【００３３】
移動局は、制御チャネルにより指定されたリソースブロックの信号を復調することにより、セル１との間のデータの送受信を行う。受信信号を図１に示したＦＦＴ２３１１でＦＦＴし、帯域Ａの部分のサブキャリア成分を取り出し、制御チャネル復調部２３１４により制御チャネルを復調し、共有データチャネル復調部２３１６によりデータチャネルの復調を行う。
【００３４】
例えば、図３−２に示すように、中心周波数をΔｆ＝６ＭＨｚシフトさせ、受信帯域を１０ＭＨｚにすると、ハンドオーバー（ＨＯ）元セル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。この例の場合、セル１とセル２の中心周波数間隔がちょうど１０ＭＨｚであるため、セル２のサブキャリア成分は、セルサーチの際の移動局の受信周波数（６ＭＨｚ）＋サブキャリア間隔×整数倍の関係にないため、タイミング同定部１１３では、ＳＣＨレプリカを用いたシンボルタイミングおよびフレームタイミングの同定まで可能である。
【００３５】
図４は、実施の形態１のセルサーチ部の処理内容を示すフローチャートである。移動局１００のセルサーチ部１１０における処理は、ＳＣＨ相関演算部１１１により、受信信号の出力と、所定周波数だけシフトされたＳＣＨレプリカとのＳＣＨ相関演算を行い（ステップＳ４０１）、ピーク検出部１１２によりピーク検出を行い（ステップＳ４０２）、相関値のピークがしきい値よりも大きいかを判断する（ステップＳ４０３）。相関値のピークがしきい値より小さい場合には（ステップＳ４０３：Ｎｏ）、ステップＳ４０１に戻りＳＣＨ相関演算を行う。相関値のピークがしきい値より大きい場合には（ステップＳ４０３：Ｙｅｓ）、タイミング同定部１１３により、サブフレームタイミングと、シンボルタイミングの同定が行われ（ステップＳ４０４）、一連の処理が終了する。
【００３６】
図５は、実施の形態１の受信部の処理内容を示すフローチャートである。移動局１００の受信部２３０６における処理は、ＣＰ除去部２３１０によりＣＰ除去され（ステップＳ５０１）、ＦＦＴ２３１１によるＦＦＴ（フーリエ変換）を行い（ステップＳ５０２）、チャネル分離部２３１２により制御チャネルが分離される（ステップＳ５０３）。分離された制御チャネルは、制御チャネル復調部２３１４により復調され（ステップＳ５０４）、復号部２３１５により制御データが復号される（ステップＳ５０５）。また、チャネル分離部２３１２により共有データチャネルについても分離され（ステップＳ５０６）、分離された共有データチャネルは、共有データチャネル復調部２３１６により復調され（ステップＳ５０７）、復号部２３１７により共有データが復号される（ステップＳ５０８）。
【００３７】
図６は、移動局における通常時およびセルサーチの際の通信状態を示すタイミングチャートである。横軸は時間である。通常時において、基地局のセル１との間で通常通りの送受信を行っている。この後、時期ｔ１において、周辺セルサーチを行う際には、周波数を切り換えセルサーチする。この際、セル１との通信は一部の帯域を用いて継続することができる。この後、時期ｔ２において、通常時となった場合には、基地局のセル１との間で通常通りの送受信を行う。以降、周辺セルサーチを行った場合には、いずれもセル１との通信は一部の帯域を用いて継続する。
【００３８】
以上説明したように、実施の形態１によれば、周辺セルサーチ実行時には受信周波数を在圏セル（セル１）の周波数の一部と、隣接チャネル（セル２）のＳＣＨ帯域と、を含む帯域に切り換えることにより、在圏セル（セル１）との通信を継続したまま、周辺セル（セル２）の測定を行うことができるようになる。これにより、セルサーチの間でもデータ通信が行え、通信速度を向上できるようになる。具体的には、移動局側でデータをダウンロードしていたときのセルサーチの際においてもダウンロードが途切れることがなく、最大で約半分の帯域の通信速度で継続したデータ通信が行えるようになる。リアルタイム性が要求される音声通話（ＶｏＩＰ）等のサービスに適用すれば、通話中の音声の途切れを防止しつつ、セルサーチが行えるようになる。
【００３９】
（実施の形態２）
次に、本発明の実施の形態２について説明する。実施の形態１の場合、セル１、セル２の搬送波周波数間隔が、キャリアラスタ（２００ｋＨｚ）とサブキャリア間隔（１５ｋＨｚ）を考慮せず、設定されている場合の例であった。実施の形態２では、キャリアラスタとサブキャリア間隔を考慮し、セル１とセル２の中心周波数間隔をキャリアラスタとサブキャリア間隔の最小公倍数の整数倍になるように設定する構成例である。
【００４０】
図７−１は、実施の形態２の通常時における受信周波数帯域を示す図、図７−２は、実施の形態２のセルサーチの際における受信周波数帯域を示す図である。ＬＴＥの場合の設定数値について説明すると、キャリアラスタは２００ｋＨｚ、サブキャリア間隔は１５ｋＨｚである。これにより、キャリアラスタとサブキャリア間隔の最小公倍数は６００ｋＨｚである。例えば、セル１とセル２のキャリア周波数間隔を１０．２ＭＨｚとすると、これは６００ｋＨｚの整数倍となる。
【００４１】
セルサーチ実行時の周波数シフト量を６ＭＨｚとした場合、セル２のサブキャリアはシフト後の中心周波数と比べてサブキャリア間隔の整数倍のところにあるので、ＳＣＨを用いて検出したタイミングでＦＦＴを行うと、セル２のサブキャリア成分の一部（図７−２に示す帯域の約左半分）を取り出すことができる。取り出したセル２のサブキャリア成分の中からセル２の複数のパイロット信号Ｐを取り出し、解析することで、セル２のセルＩＤの同定を行うことができる。ただし、この取り出したセル２の約半分の帯域のパイロット信号Ｐを用いてセルＩＤの特定を行うことになる。
【００４２】
例えば、図７−２に示すように、中心周波数をΔｆ＝６ＭＨｚシフトさせ、受信帯域を１０ＭＨｚにすると、セル２のＳＣＨ帯域を受信可能であるので、ハンドオーバー（ＨＯ）元のセル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。
【００４３】
図８は、本発明の実施の形態２による無線端末装置の構成を示すブロック図である。実施の形態１と同一の構成部には同一の符号を付してある。実施の形態２では、セルサーチ部１１０に他のセル（セル２）用のセルＩＤを検出するためのセル抽出部７００が付加されている。セル抽出部７００は、Ａ／Ｄ２３０４の出力からＣＰを除去するＣＰ除去部７０１と、ＣＰ除去後の信号について、タイミング同定部１１３により同定されたサブフレームタイミングおよびシンボルタイミングに基づきＦＦＴ（フーリエ変換）するＦＦＴ７０２と、セル２のパイロット信号Ｐを抽出するパイロット抽出部７０３と、抽出されたパイロット信号Ｐに基づき、セルＩＤを検出するセルＩＤ検出部７０４およびパイロット信号Ｐのレベルを測定するレベル測定部７０５と、からなる。
【００４４】
図９は、実施の形態２のセルサーチ部の処理内容を示すフローチャートである。移動局１００のセルサーチ部１１０における処理は、ＳＣＨ相関演算部１１１により、受信信号の出力と、所定周波数だけシフトされたＳＣＨレプリカとのＳＣＨ相関演算を行い（ステップＳ９０１）、ピーク検出部１１２によりピーク検出を行い（ステップＳ９０２）、相関値のピークがしきい値よりも大きいかを判断する（ステップＳ９０３）。相関値のピークがしきい値より小さい場合には（ステップＳ９０３：Ｎｏ）、ステップＳ９０１に戻りＳＣＨ相関演算を行う。相関値のピークがしきい値より大きい場合には（ステップＳ９０３：Ｙｅｓ）、タイミング同定部１１３により、サブフレームタイミングと、シンボルタイミングの同定が行われる（ステップＳ９０４）。
【００４５】
また、セル抽出部７００では、ＣＰ除去部７０１にてＣＰが除去され（ステップＳ９０５）、ＦＦＴ７０２によるフーリエ変換が行われ（ステップＳ９０６）、パイロット抽出部７０３によりセル２のパイロット信号Ｐが抽出される（ステップＳ９０７）。抽出されたパイロット信号Ｐにより、セルＩＤ検出部７０４は、セルＩＤを検出し（ステップＳ９０８）、レベル測定部７０５は、パイロット信号Ｐのレベルを測定し（ステップＳ９０９）、一連の処理が終了する。なお、実施の形態２における受信部２３０６の処理内容は、実施の形態１（図５）での説明と同様の処理であり、説明を省略する。
【００４６】
以上説明したように、実施の形態２によれば、実施の形態１同様に、セルサーチの際の通信中断が生じないとともに、セル１とセル２の中心周波数間隔をキャリアラスタとサブキャリア間隔の最小公倍数の整数倍になるように設定する構成としたので、ＳＣＨを用いて検出したタイミングでＦＦＴを行う際に、セル２のサブキャリアの成分の一部を取り出すことができ、この一部の情報に含まれるパイロット信号に基づいて、セルサーチして周辺セル（セル２）のセルＩＤを容易に特定できるようになる。
【００４７】
（実施の形態３）
次に、本発明の実施の形態３について説明する。実施の形態３では、隣接セルで使用しているパイロットのパターンがあらかじめわかっている場合の構成例であり、実施の形態３ではセルサーチの際にＳＣＨレプリカを用いず、周辺セル（セル２）のパイロットレプリカを用いる。実施の形態３では、周辺セルサーチ実行前に隣接セル（セル２）で使用しているパイロットのパターンをセル１の基地局から通知する構成とする。
【００４８】
図１０は、本発明の実施の形態３による無線端末装置の構成を示すブロック図である。実施の形態１と同一の構成部には同一の符号を付してある。セルサーチ部１１０は、セル２のパイロット相関演算を行うパイロット相関演算部１００１と、相関後のピーク検出部１００２と、ピーク検出後のシンボルタイミングを同定するシンボルタイミング同定部１００３と、セル２のパイロット時間レプリカ生成部１００４とを有している。パイロット時間レプリカ生成部１００４は、受信部２３０６の出力により、セル１からの受信信号に含まれているセル２のパイロットパターンを抽出し、ＩＦＦＴ１００５により、逆フーリエ変換により時間領域の信号に変換してセル２のパイロットレプリカを得る。この後、周波数シフトしてパイロット相関演算部１００１に出力する。
【００４９】
図１１は、実施の形態３のセルサーチ部の処理内容を示すフローチャートである。移動局１００のセルサーチ部１１０は、パイロット相関演算部１００１により、受信部２３０６の出力から得たセル２のパイロット信号の出力と、所定周波数だけシフトされたパイロットレプリカとのパイロット相関演算を行い（ステップＳ１１０１）、ピーク検出部１１２によりピーク検出を行い（ステップＳ１１０２）、相関値のピークがしきい値よりも大きいかを判断する（ステップＳ１１０３）。相関値のピークがしきい値より小さい場合には（ステップＳ１１０３：Ｎｏ）、ステップＳ１１０１に戻りパイロット相関演算を行う。相関値のピークがしきい値より大きい場合には（ステップＳ１１０３：Ｙｅｓ）、シンボルタイミング同定部１００３により、シンボルタイミングの同定が行われ（ステップＳ１１０４）、一連の処理が終了する。
【００５０】
図１２−１は、実施の形態３の通常時における受信周波数帯域を示す図、図１２−２は、実施の形態３のセルサーチの際における受信周波数帯域を示す図である。セルサーチの際には、図１２−２に示すように、セル２のサブキャリア成分に含まれるセル２のパイロット信号Ｐのパターンから、パイロット時間レプリカ生成部１００４は、パイロット信号Ｐの時間信号のレプリカを作成し、シンボルタイミング同定部１００３によりシンボルタイミングの同定を行う。このセルサーチの際には、中心周波数をΔｆ＝６ＭＨｚシフトさせ、受信帯域を１０ＭＨｚにすると、セル２のＳＣＨ帯域を受信可能であるので、ハンドオーバー（ＨＯ）元のセル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。
【００５１】
上記説明では、基地局から通知されたセル２のパイロットパターンを用いる構成としたが、他の構成としては、報知チャネルＢＣＨ（Ｂｒｏａｄｃａｓｔ  Ｃｈａｎｎｅｌ）にセル２のパイロットパターンが含まれて通知される構成としてもよい。
【００５２】
以上説明したように、実施の形態３によれば、実施の形態１同様に、セルサーチの際の通信中断が生じないとともに、基地局から通知されたパイロットパターンを用いてセルサーチし、周辺セル（セル２）のシンボルタイミングを同定できるようになる。
【００５３】
（実施の形態４）
次に、本発明の実施の形態４について説明する。実施の形態４では、輪セルするセル（セル１、セル２）のシステム帯域幅が異なり、セル２のシステム帯域幅がセル１より大きい場合における構成例である。図１３−１は、実施の形態４の通常時における受信周波数帯域を示す図である。図示のように、例えば、セル１のシステム帯域幅１０ＭＨｚ、セル２のシステム帯域幅２０ＭＨｚであり、移動局１００の受信帯域幅１０ＭＨｚの場合について説明する。
【００５４】
セル２のシステム帯域幅が大きい場合であっても、セルサーチの際に周波数をシフト量Δｆでシフトさせた受信帯域幅内にセル２のＳＣＨが含まれていれば、実施の形態１同様に、セル１との間の通信を継続しながらセル２のセルサーチを行うことができる。
【００５５】
図１３−２は、実施の形態４のセルサーチの際における受信周波数帯域を示す図である。セル１のシステム帯域幅１０ＭＨｚに比べて、セル２のシステム帯域幅が２０ＭＨｚと大きい場合でも、セル２のシステム帯域幅の前半の１０ＭＨｚ、後半の１０ＭＨｚのそれぞれの中央にＳＣＨが送信される帯域があるとする。この場合、中心周波数をΔｆ＝６ＭＨｚシフトさせ、受信帯域を１０ＭＨｚにすると、ハンドオーバー（ＨＯ）元セル１の信号は、セル１の中心周波数ｆｏに対し＋１Ｍ〜＋４．５Ｍの範囲の信号を検出できる（３．５ＭＨｚ分のサブキャリア＝２３３サブキャリア＝１９リソースブロックが使用可能）。なお、セル２におけるＳＣＨがシステム帯域幅２０ＭＨｚの中央にある場合であっても、ＳＣＨを検出できるようにシフト量Δｆを対応して変更すればよい。
【００５６】
以上説明したように、実施の形態４によれば、セルサーチの際のセル２が大きなシステム帯域幅であっても、実施の形態１同様に、セルサーチの際の通信中断が生じないとともに、セルサーチでき、周辺セル（セル２）のセルＩＤを容易に特定できるようになる。
【００５７】
（実施の形態５）
次に、本発明の実施の形態５について説明する。実施の形態５では、隣接するセル（セル１、セル２）のシステム帯域幅が異なり、セル２のシステム帯域幅がセル１より小さい場合における構成例である。図１４−１は、実施の形態５の通常時における受信周波数帯域を示す図である。図示のように、例えば、セル１のシステム帯域幅１０ＭＨｚ、セル２のシステム帯域幅５ＭＨｚであり、移動局の受信帯域幅１０ＭＨｚの場合について説明する。
【００５８】
図１４−２は、実施の形態５のセルサーチの際における受信周波数帯域を示す図である。図示のように、セル１のシステム帯域幅に比べて、セル２のシステム帯域幅が５ＭＨｚと小さく、セル２のシステム帯域幅の中央にＳＣＨが送信される帯域があるとする。この場合、セル１のＳＣＨとセル２のＳＣＨとの間の周波数は、７．５ＭＨｚとなる。このような場合、セルサーチの際の周波数のシフト量Δｆは、３．６ＭＨｚ隣、少なくて済むことになる。さらに、セル１で使用可能なサブキャリア数（リソースブロック数）が、実施の形態１に比べて多くできる。
【００５９】
具体的には、セルサーチの際に中心周波数を３．６ＭＨｚシフトさせ、受信帯域を１０ＭＨｚにすると、ハンドオーバー（ＨＯ）元のセル１の信号は、セル１の中心周波数ｆｏに対し＋−１．４Ｍ〜＋４．５Ｍの範囲の信号が検出できるようになる（５．９ＭＨｚ分のサブキャリア＝３９３サブキャリア＝３２リソースブロックが使用可能）。
【００６０】
以上説明したように、実施の形態５によれば、セルサーチの際のセル２が小さなシステム帯域幅であっても、実施の形態１同様に、セルサーチの際の通信中断が生じないとともに、セルサーチでき、周辺セル（セル２）のセルＩＤを容易に特定できるようになる。加えて、周波数のシフト量を少なくできるとともに、受信帯域がセルサーチでも変わらない構成とすれば、セル２のシステム帯域が小さい分だけセルサーチの際におけるセル１の通信帯域を大きく確保できるようになる。
【００６１】
（実施の形態６）
次に、本発明の実施の形態６について説明する。実施の形態６では、パーシステントスケジューリング時であってもセルサーチ前後でセル１の通信を継続させる構成について説明する。
【００６２】
図１５は、実施の形態６によるパーシステントスケジューリング適用時におけるリソースブロックの割り当てを説明する図である。図の縦軸は周波数、横軸は時間である。パーシステントスケジューリングとは、使用するサブフレームと使用リソースブロックをある程度の期間固定的に割り当てておくことである。例えば、音声通話（ＶｏＩＰ）では、必要な帯域を固定的に割り当てられている。この割り当ては基地局が行う。
【００６３】
図１５に示すように、セル１では通常時にパーシステントスケジューリングにより複数（図では４個）のリソースブロックＲＢ１が固定的に割り当てられ、通信していたとする。この後、セルサーチの際に、周波数シフトにより、セルサーチ実行時の受信周波数帯域がシフトされ、セル１において通信に割り当てられていたリソースブロックＲＢ１が、セルサーチ実行時の受信周波数帯域の外側になってしまう場合がある。
【００６４】
このような場合、基地局の図示しない要求手段は、通信中のリソースブロックＲＢ１の割り当てを、セルサーチ実行時の受信周波数帯域内のリソースブロックＲＢ２を使用するように、割り当て直す構成とする。セルサーチ実行後は、セル１の周波数帯域のうち任意のリソースブロックＲＢ３を割り当てればよい。
【００６５】
以上説明したように、実施の形態６によれば、パーシステントスケジューリングが適用され、通信に用いるリソースブロックが固定的に割り当てられていた場合であっても、セルサーチの際の通信中断を防止して通信継続できるようになる。
【００６６】
（実施の形態７）
次に、本発明の実施の形態７について説明する。実施の形態７では、セルサーチを行う契機の決定の他の例について説明する。周辺セルサーチ起動の契機の決定は、移動局１００から例えば定期的に報告される下りチャネルの受信品質情報ＣＱＩの低下を基地局で検出し、基地局側が契機を生成する構成（図２参照）以外の契機も考えられる。
【００６７】
（１）下りチャネルの受信品質情報（ＣＱＩ）測定値の低下を移動局で検出し、それを契機にして、基地局に対して周辺セルサーチ実行許可要求を送る構成例。図１６は、実施の形態７によるセルサーチの処理手順を示すシーケンス図である（その１）。セルサーチの契機を移動局が生成する構成である。
【００６８】
移動局ＭＳは、下りチャネルの受信品質情報ＣＱＩの低下を検出すると（ステップＳ１６０１）、通信中のセル１の基地局ＢＳに対して、周辺セルサーチを実行する許可の要求（周辺セルサーチ実行許可要求）を送信する（ステップＳ１６０２）。これに対応して基地局は、周辺セルサーチ実行命令を送信する（ステップＳ１６０３）。周辺セルサーチ実行命令の中には、実行開始タイミング、終了タイミング、周辺セルサーチ実行時間におけるセル１と移動局の間でデータの送受信を行うための周波数帯域などの情報が合わせて通知される。なお、周辺セルサーチ実行命令とそのような情報の通知は別々に行うこともある。
【００６９】
移動局は、周辺セルサーチ実行命令を受信すると、周辺セルサーチ実行命令に対する応答を基地局に返信し（ステップＳ１６０４）、通知された実行開始タイミングで周辺セルサーチを行うモードに移行する。周辺セルサーチ実行時間内で周波数切り換え（ステップＳ１６０５）、セル２のセルサーチ実行およびセル１との間のデータ送受信を行い（ステップＳ１６０６）、周波数を元に戻す（ステップＳ１６０７）。この後、基地局に対してセルサーチ結果の報告を行い（ステップＳ１６０８）、基地局は、セルサーチ結果に基づいてハンドオーバー（ＨＯ）先の決定を行う（ステップＳ１６０９）。
【００７０】
（２）負荷（トラフィック）の増加を基地局で検出し、それを契機にして、移動局に対して周辺セルサーチ実行命令を送る構成例。図１７は、実施の形態７によるセルサーチの処理手順を示すシーケンス図である（その２）。セルサーチの契機を基地局が生成する構成である。
【００７１】
基地局ＢＳは、負荷（トラフィック）の増加を検出すると、移動局ＭＳに対して、周辺セルサーチを行わせることを決定し（ステップＳ１７０１）、移動局に対して、周辺セルサーチ実行命令を送信する（ステップＳ１７０２）。周辺セルサーチ実行命令の中には、実行開始タイミング、終了タイミング、周辺セルサーチ実行時間におけるセル１と移動局の間でデータの送受信を行うための周波数帯域などの情報が合わせて通知される。
【００７２】
移動局は、周辺セルサーチ実行命令を受信すると、周辺セルサーチ実行命令に対する応答を基地局に返信し（ステップＳ１７０３）、通知された実行開始タイミングで周辺セルサーチを行うモードに移行する。周辺セルサーチ実行時間内で周波数切り換え（ステップＳ１７０４）、セル２のセルサーチ実行およびセル１との間のデータ送受信を行い（ステップＳ１７０５）、周波数を元に戻す（ステップＳ１７０６）。この後、基地局に対してセルサーチ結果の報告を行い（ステップＳ１７０７）、基地局は、セルサーチ結果に基づいてハンドオーバー（ＨＯ）先の決定を行う（ステップＳ１７０８）。
【００７３】
以上説明したように、実施の形態７によれば、セルサーチを開始する契機を基地局が生成するに限らず、移動局で契機を生成することもできる。また、基地局がトラフィックの増加を契機として生成する構成にもでき、上記各実施の形態で説明したセルサーチを適切な契機で実行開始することができるようになる。
【００７４】
そして、以上の各実施の形態によれば、隣接周波数を用いる周辺セルの情報を取得するセルサーチの際の受信周波数を位置している在圏セル（セル１）の周波数の一部を残したまま、隣接チャネルの周辺セル（セル２）のＳＣＨ帯域（あるいはパイロット信号）を含む帯域となるよう周波数をシフト量Δｆだけシフトさせることにより、在圏セル（セル１）との通信を継続したまま、周辺セル（セル２）の測定を行うことができるようになる。そして、セルサーチの際でも通常時の半分程度の帯域幅を利用して通信を継続可能であり、特に、音声通話（ＶｏＩＰ）などのリアルタイム性が要求されるサービスの場合には、データ通信を継続できることにより、音声を途切れさせることなく、隣接チャネルのセルサーチを行うことができる。
【００７５】
上述した実施の形態に関し、さらに以下の付記を開示する。
【００７６】
（付記１）基地局装置との間で在圏セルの周波数帯域を用いて情報の受信を行う受信手段と、
前記在圏セルの周波数帯域に隣接する隣接周波数帯域の周辺セルのセルサーチを行うセルサーチ手段と、
前記セルサーチ手段によるセルサーチの際に、前記周辺セルの周波数帯域のうちセルサーチに用いることができる情報の周波数帯域と、在圏セルの周波数帯域の一部と、を含む周波数帯域となるよう受信周波数を切り換える受信周波数制御手段と、
を備えたことを特徴とする無線端末装置。
【００７７】
（付記２）前記セルサーチ手段は、前記周辺セルの中心周波数と、在圏セルの中心周波数の差分周波数分、前記セルサーチに用いることができる情報の周波数をシフトさせる周波数シフト手段と、
前記周波数シフト手段によりシフトされた前記セルサーチに用いることができる情報と、前記周辺セルから受信したセルサーチに用いることができる情報との相関を求める相関演算手段と、
前記相関演算手段による相関演算の結果に基づいて、前記周辺セルのサブフレームタイミングとシンボルタイミングを同定するタイミング同定手段と、
を備えたことを特徴とする付記１に記載の無線端末装置。
【００７８】
（付記３）前記セルサーチ手段は、セルサーチに用いることができる情報として、前記周辺セルの同期チャネルを用いることを特徴とする付記２に記載の無線端末装置。
【００７９】
（付記４）前記セルサーチ手段は、セルサーチに用いることができる情報として、前記周辺セルのパイロットチャネルを用いることを特徴とする付記２に記載の無線端末装置。
【００８０】
（付記５）前記受信手段により受信した前記情報の受信品質情報の低下の検出状態を前記基地局装置に通知する通知手段を備え、
前記セルサーチ手段は、前記通知手段による通知後に前記基地局装置が決定したセルサーチ実行の契機を示す応答の受信に基づいて前記セルサーチを実行することを特徴とする付記１〜４のいずれか一つに記載の無線端末装置。
【００８１】
（付記６）前記受信手段により受信した前記情報の受信品質情報の低下の検出時に、前記セルサーチを実行する契機を生成し、前記基地局装置に通知する通知手段を備え、
前記セルサーチ手段は、前記通知手段による通知後に前記基地局装置からの応答の受信に基づいて前記セルサーチを実行することを特徴とする付記１〜４のいずれか一つに記載の無線端末装置。
【００８２】
（付記７）無線端末装置に対し、当該無線端末装置が位置する在圏セルの周波数帯域を用いて情報の送受信を行う通信手段と、
前記無線端末装置からの前記在圏セルの周波数帯域に隣接する隣接周波数帯域の周辺セルのセルサーチ実行に用いる情報の受信に基づき、セルサーチの実行を決定し、前記無線端末装置に対してセルサーチ実行を要求する要求手段とを備え、
前記通信手段は、前記無線端末装置のセルサーチの際には、当該無線端末装置が位置する在圏セルの周波数帯域の一部を用いて当該無線端末装置との間の通信を継続して行うことを特徴とする基地局装置。
【００８３】
（付記８）前記通信手段は、前記無線端末装置に対する情報に用いる制御チャネルおよびデータチャネルを、前記無線端末装置が位置する在圏セルの周波数帯域と、セルサーチの際における前記周辺セルの周波数帯域とが重複する帯域を用いて通信することを特徴とする付記７に記載の基地局装置。
【００８４】
（付記９）前記要求手段は、前記セルサーチ実行を要求した前記無線端末装置に対し、セルサーチの際において通信に使用可能なリソースブロックの候補を通知することを特徴とする付記７に記載の基地局装置。
【００８５】
（付記１０）前記通信手段は、在圏セルによる通信時の周波数帯域の中心と、セルサーチの際における前記周辺セルの周波数帯域との周波数差をサブキャリア間隔の整数倍とすることを特徴とする付記７に記載の基地局装置。
【００８６】
（付記１１）前記通信手段は、パーシステントスケジューリングにより、前記無線端末装置が位置する在圏セルにおいて使用するリソースブロックが固定的に割り当てられている場合、前記周辺セルサーチの際には、当該セルサーチの際において使用する周波数帯域のリソースブロックを用いるよう割り当てを変更することを特徴とする付記７に記載の基地局装置。
【００８７】
（付記１２）前記要求手段は、前記通信手段により通信する情報のトラフィック負荷の増大の検出時に、前記セルサーチを実行する契機を生成し、前記無線端末装置に対し、前記セルサーチを実行を命令することを特徴とする付記７〜１１のいずれか一つに記載の無線端末装置。
【００８８】
（付記１３）無線端末装置が位置する在圏セルの周波数帯域を用いて基地局装置との間で情報の送受信を行う通信工程と、
前記無線端末装置が位置する在圏セルの周波数帯域に隣接する隣接周波数帯域の周辺セルのセルサーチを行うセルサーチ工程と、
前記セルサーチ工程によるセルサーチの際に、前記周辺セルの周波数帯域のうちセルサーチに用いることができる情報の周波数帯域と、在圏セルの周波数帯域の一部と、を含む周波数帯域となるよう前記通信工程の使用周波数を切り換える周波数制御工程と、
を含むことを特徴とする無線通信方法。
【産業上の利用可能性】
【００８９】
以上のように、本発明にかかる無線端末装置、基地局装置および無線通信方法は、通信中の周波数に隣接する隣接セルの測定を通信と同時に並行して行うことができ、特に、無線端末装置の移動によりハンドオーバーを行うマルチキャリアセルラー通信システムを構成している装置に適している。
【符号の説明】
【００９０】
１００  無線端末装置（移動局）
１１０  セルサーチ部
１１１  ＳＣＨ相関演算部
１１２  ピーク検出部
１１３  タイミング同定部
７０１  ＣＰ除去部
７０２  ＦＦＴ
７０３  パイロット抽出部
７０４  セルＩＤ検出部
７０５  レベル測定部
１００１  パイロット相関演算部
１００２  ピーク検出部
１００３  シンボルタイミング同定部
１００４  パイロット時間レプリカ生成部
１００５  ＩＦＦＴ
２０００  基地局装置（基地局）
２３０６  受信部
【手続補正２】
【補正対象書類名】特許請求の範囲
【補正対象項目名】全文
【補正方法】変更
【補正の内容】
【特許請求の範囲】
【請求項１】
基地局装置との間で在圏セルの周波数帯域を用いて情報の受信を行う受信手段と、
前記在圏セルの周波数帯域に隣接する隣接周波数帯域の周辺セルのセルサーチを行うセルサーチ手段と、
前記セルサーチ手段によるセルサーチの際に、前記周辺セルの周波数帯域のうちセルサーチに用いることができる情報の周波数帯域と、在圏セルの周波数帯域の一部と、を含む周波数帯域となるよう受信周波数を切り換える受信周波数制御手段と、
を備えたことを特徴とする無線端末装置。
【請求項２】
前記セルサーチ手段は、前記周辺セルの中心周波数と、在圏セルの中心周波数の差分周波数分、前記セルサーチに用いることができる情報の周波数をシフトさせる周波数シフト手段と、
前記周波数シフト手段によりシフトされた前記セルサーチに用いることができる情報と、前記周辺セルから受信したセルサーチに用いることができる情報との相関を求める相関演算手段と、
前記相関演算手段による相関演算の結果に基づいて、前記周辺セルのサブフレームタイミングとシンボルタイミングを同定するタイミング同定手段と、
を備えたことを特徴とする請求項１に記載の無線端末装置。
【請求項３】
前記セルサーチ手段は、セルサーチに用いることができる情報として、前記周辺セルの同期チャネルを用いることを特徴とする請求項２に記載の無線端末装置。
【請求項４】
前記セルサーチ手段は、セルサーチに用いることができる情報として、前記周辺セルのパイロットチャネルを用いることを特徴とする請求項２に記載の無線端末装置。
【請求項５】
前記受信手段により受信した前記情報の受信品質情報の低下の検出状態を前記基地局装置に通知する通知手段を備え、
前記セルサーチ手段は、前記通知手段による通知後に前記基地局装置が決定したセルサーチ実行の契機を示す応答の受信に基づいて前記セルサーチを実行することを特徴とする請求項１〜４のいずれか一つに記載の無線端末装置。
【請求項６】
前記受信手段により受信した前記情報の受信品質情報の低下の検出時に、前記セルサーチを実行する契機を生成し、前記基地局装置に通知する通知手段を備え、
前記セルサーチ手段は、前記通知手段による通知後に前記基地局装置からの応答の受信に基づいて前記セルサーチを実行することを特徴とする請求項１〜４のいずれか一つに記載の無線端末装置。
【請求項７】
無線端末装置に対し、当該無線端末装置が位置する在圏セルの周波数帯域を用いて情報の送受信を行う通信手段と、
前記無線端末装置からの前記在圏セルの周波数帯域に隣接する隣接周波数帯域の周辺セルのセルサーチ実行に用いる情報の受信に基づき、セルサーチの実行を決定し、前記無線端末装置に対してセルサーチ実行を要求する要求手段とを備え、
前記通信手段は、前記無線端末装置のセルサーチの際には、当該無線端末装置が位置する在圏セルの周波数帯域の一部を用いて当該無線端末装置との間の通信を継続して行うことを特徴とする基地局装置。
【請求項８】
前記通信手段は、前記無線端末装置に対する情報に用いる制御チャネルおよびデータチャネルを、前記無線端末装置が位置する在圏セルの周波数帯域と、セルサーチの際における前記周辺セルの周波数帯域とが重複する帯域を用いて通信することを特徴とする請求項７に記載の基地局装置。
【請求項９】
前記通信手段は、在圏セルによる通信時の周波数帯域の中心と、セルサーチの際における前記周辺セルの周波数帯域との周波数差をサブキャリア間隔の整数倍とすることを特徴とする請求項７に記載の基地局装置。
【請求項１０】
無線端末装置が位置する在圏セルの周波数帯域を用いて基地局装置との間で情報の送受信を行う通信工程と、
前記無線端末装置が位置する在圏セルの周波数帯域に隣接する隣接周波数帯域の周辺セルのセルサーチを行うセルサーチ工程と、
前記セルサーチ工程によるセルサーチの際に、前記周辺セルの周波数帯域のうちセルサーチに用いることができる情報の周波数帯域と、在圏セルの周波数帯域の一部と、を含む周波数帯域となるよう前記通信工程の使用周波数を切り換える周波数制御工程と、
を含むことを特徴とする無線通信方法。
【国際調査報告】
2008096436.tif 000030
2008096436.tif 000031
2008096436.tif 000032
2008096436.tif 000033